(57)【要約】ある態様では、ピアツーピア通信を確立するための装置が提供される。装置は、処理システム、赤外線送信機、およびアンテナを備える。処理システムは、ピアツーピア通信を開始するためのコマンドを受信するように構成される。処理システムはさらに、第２のデバイスへの送信のために赤外線信号を生成することと、ワイヤレス通信ネットワーク上で第２のデバイスを見出すこととを行うように構成される。処理システムはまた、ワイヤレス通信ネットワークを介した第２のデバイスへの送信のために、第２のデバイスとのピアツーピア接続を形成することを求める要求を生成するように構成される。処理システムはまたさらに、ワイヤレス通信ネットワーク上でピアツーピア接続を介して第２のデバイスに接続するように構成される。赤外線送信機は、赤外線信号を第２のデバイスに送信するように構成され、その一方でアンテナは、ワイヤレス通信ネットワーク上でワイヤレス通信に参加するように構成される。【選択図】図２
2017538362.tif 000002
【特許請求の範囲】
【請求項１】
ピアツーピア通信を確立するための装置であって、
ピアツーピア通信を開始するためのコマンドを受信することと、
第２のデバイスへの送信のために赤外線信号を生成することと、
ワイヤレス通信ネットワーク上で前記第２のデバイスを見出すことと、
前記ワイヤレス通信ネットワークを介した前記第２のデバイスへの送信のために、前記第２のデバイスとのピアツーピア接続を形成することを求める要求を生成することと、
前記ワイヤレス通信ネットワーク上で前記ピアツーピア接続を介して前記第２のデバイスに接続することと
を行うように構成された処理システムと、
前記赤外線信号を前記第２のデバイスに送信するように構成された赤外線送信機と、
前記ワイヤレス通信ネットワーク上でワイヤレス通信に参加するように構成されたアンテナと
を備える、装置。
【請求項２】
前記処理システムは、前記第２のデバイスから前記ピアツーピア接続を形成することを求める前記要求に対する応答を受信するようにさらに構成され、前記要求に対する前記応答は、前記第２のデバイスが前記ピアツーピア接続を形成することに同意する、または前記ピアツーピア接続を形成することに同意しないというインジケーションを備える、請求項１に記載の装置。
【請求項３】
前記第２のデバイスへの送信のために生成された前記赤外線信号は、第１の好ましいチャネルにワイヤレスネットワーク接続を設定およびオンにするためのコマンドを備え、前記第１の好ましいチャネルは、前記第２のデバイスのデフォルト設定および前記赤外線通信のうちの１つに基づく、請求項１に記載の装置。
【請求項４】
前記処理システムは、
前記第１の好ましいチャネル上で前記第２のデバイスをリッスンすることと、
前記第１の好ましいチャネル上で前記第２のデバイスを検出することと、
第１の時間が経過する前に、前記第１の好ましいチャネル上での前記第２のデバイスの検出に基づいて、前記第１の好ましいチャネルに前記ワイヤレスネットワーク接続を設定およびオンにするための前記コマンドが前記第２のデバイスによって受信されたと決定することと
を行うようにさらに構成される、請求項３に記載の装置。
【請求項５】
前記処理システムは、
前記第１の好ましいチャネル上で前記第２のデバイスをリッスンすることと、
第１の時間が経過する前に、前記第１の好ましいチャネル上で前記第２のデバイスを検出しないことに基づいて、前記第１の好ましいチャネルに前記ワイヤレスネットワーク接続を設定およびオンにするための前記コマンドが前記第２のデバイスによって受信されなかったと決定することと、
前記第２のデバイスへの送信のために別の赤外線信号を生成することと、前記別の赤外線信号は、第２の好ましいチャネルにワイヤレス接続を設定およびオンにするための別のコマンドに基づく、
を行うようにさらに構成され、
前記赤外線送信機は、前記別の赤外線信号を前記第２のデバイスに送信するようにさらに構成される、
請求項３に記載の装置。
【請求項６】
前記第２のデバイスとのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項１に記載の装置。
【請求項７】
前記処理システムは、前記第２のデバイスから前記ピアツーピア接続を形成することを求める前記要求に対する応答を受信するようにさらに構成され、前記第２のデバイスからの前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、請求項６に記載の装置。
【請求項８】
前記処理システムは、赤外線電源投入コードのデータベースにアクセスするようにさらに構成され、赤外線電源投入コードの前記データベースは、赤外線信号を受信し、ワイヤレスピアツーピア通信に参加することが可能なディスプレイデバイスの様々な製造業者およびモデルからの赤外線電源投入コードを備える、請求項１に記載の装置。
【請求項９】
赤外線通信を生成するように構成された前記処理システムは、赤外線電源投入コードの前記データベースからの選択された赤外線電源投入コードに基づいて前記赤外線通信を生成するように構成される、請求項８に記載の装置。
【請求項１０】
ピアツーピア通信を確立するための方法であって、
第１のデバイスが、ピアツーピア通信を開始するためのコマンドを受信することと、
第２のデバイスへの送信のために赤外線通信を生成することと、
前記赤外線通信を前記第２のデバイスに送信することと、
ワイヤレス通信ネットワーク上で前記第２のデバイスを見出すことと、
前記第２のデバイスとのピアツーピア接続を形成することを求める要求を生成することと、
前記ピアツーピア接続を形成することを求める前記要求を前記ワイヤレス通信ネットワークを介して前記第２のデバイスに送信することと、
前記ワイヤレス通信ネットワーク上で前記ピアツーピア接続を介して前記第２のデバイスに接続することと
を備える、方法。
【請求項１１】
前記第２のデバイスから前記ピアツーピア接続を形成することを求める前記要求に対する応答を受信することをさらに備え、前記要求に対する前記応答は、前記第２のデバイスが前記ピアツーピア接続を形成することに同意する、または前記ピアツーピア接続を形成することに同意しないというインジケーションを備える、請求項１０に記載の方法。
【請求項１２】
前記第２のデバイスに送信された前記赤外線通信は、第１の好ましいチャネルにワイヤレスネットワーク接続を設定およびオンにするためのコマンドを備え、前記第１の好ましいチャネルは、前記第２のデバイスのデフォルト設定および前記赤外線通信のうちの１つに基づく、請求項１０に記載の方法。
【請求項１３】
前記第１の好ましいチャネル上で前記第２のデバイスをリッスンすることと、
前記好ましいチャネル上で前記第２のデバイスを検出することと、
第１の時間が経過する前に、前記第１の好ましいチャネル上での前記第２のデバイスの検出に基づいて、前記第１の好ましいチャネルに前記ワイヤレスネットワーク接続を設定およびオンにするための前記コマンドが前記第２のデバイスによって受信されたと決定することと
をさらに備える、請求項１２に記載の方法。
【請求項１４】
前記第１の好ましいチャネル上で前記第２のデバイスをリッスンすることと、
第１の時間が経過する前に、前記第１の好ましいチャネル上で前記第２のデバイスを検出しないことに基づいて、前記第１の好ましいチャネルに前記ワイヤレスネットワーク接続を設定およびオンにするための前記コマンドが前記第２のデバイスによって受信されなかったと決定することと、
前記第２のデバイスへの送信のために別の赤外線信号を生成することと、前記別の赤外線信号は、第２の好ましいチャネルにワイヤレス接続を設定およびオンにするための別のコマンドに基づく、
前記別の赤外線信号を前記第２のデバイスに送信することと
をさらに備える、請求項１２に記載の方法。
【請求項１５】
前記第２のデバイスとのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項１０に記載の方法。
【請求項１６】
前記第２のデバイスから前記ピアツーピア接続を形成することを求める前記要求に対する応答を受信することをさらに備え、前記第２のデバイスからの前記応答は、前記第２のデバイスとの前記ピアツーピア接続を形成することを求める前記要求のものとは、異なる示唆されたメディアタイプ、異なる示唆されたチャネル、前記ピアツーピア接続のための異なる示唆された速度、および前記ピアツーピア接続のための異なる示唆された持続時間のうちの少なくとも１つを備える、請求項１５に記載の方法。
【請求項１７】
赤外線電源投入コードのデータベースにアクセスすることをさらに備え、赤外線電源投入コードの前記データベースは、赤外線信号を受信し、ワイヤレスピアツーピア通信に参加することが可能なディスプレイデバイスの様々な製造業者およびモデルからの赤外線電源投入コードを備える、請求項１０に記載の方法。
【請求項１８】
前記赤外線通信を生成することは、赤外線電源投入コードの前記データベースからの選択された赤外線電源投入コードを含む前記赤外線通信を生成することを備える、請求項１７に記載の方法。
【請求項１９】
ピアツーピア通信を確立するための装置であって、
第２の装置から赤外線信号を受信するように構成された赤外線受信機と、
ワイヤレス通信ネットワーク上で通信するように構成されたアンテナと、
電源投入信号および通信信号を備える赤外線信号を受信することと、
前記装置がスタンバイまたは低電力モードである場合に前記装置に電源投入することと、
前記通信信号に基づいて前記ワイヤレス通信ネットワークのためのネットワークパラメータを設定することと、
第２の装置からピアツーピア接続を形成することを求める要求を受信することと、
前記ピアツーピア接続要求を受け入れるまたは拒否する、前記第２の装置への応答を生成することと、
前記応答を前記第２の装置に送信することと
を行うように構成された処理システムと
を備える、装置。
【請求項２０】
前記処理システムは、前記ワイヤレス通信ネットワーク上で前記第２の装置とのピアツーピア接続を形成するようにさらに構成される、請求項１９に記載の装置。
【請求項２１】
前記処理システムは、前記ピアツーピア接続を形成する前に、前記第２の装置から識別情報を受信し、前記ワイヤレス通信ネットワーク上で前記第２の装置を識別するようにさらに構成される、請求項２０に記載の装置。
【請求項２２】
前記第２の装置からのピアツーピア接続を形成することを求める前記要求は、接続タイムアウトタイマが満了する前に受信され、前記接続タイムアウトタイマは、前記装置が前記赤外線信号を送る前記第２の装置からのピアツーピア要求を待つ持続時間を備える、請求項１９に記載の装置。
【請求項２３】
前記第２の装置からのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項１９に記載の装置。
【請求項２４】
前記第２のデバイスからの前記ピアツーピア接続を形成することを求める前記要求に対する前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、請求項１９に記載の装置。
【請求項２５】
ピアツーピア通信を確立するための方法であって、
第２の装置から赤外線信号を受信することと、前記赤外線信号は、電源投入信号および通信信号を備える、
前記装置がスタンバイまたは低電力モードである場合に前記装置に電源投入することと、
前記受信された通信信号に基づいて前記ワイヤレス通信ネットワークのためのネットワークパラメータを設定することと、
第２の装置からピアツーピア接続を形成することを求める要求を受信することと、
前記ピアツーピア接続要求を受け入れるまたは拒否する、前記第２の装置への応答を生成することと、
前記応答を前記第２の装置に送信することと
を備える、方法。
【請求項２６】
前記ワイヤレス通信ネットワーク上で前記第２の装置とのピアツーピア接続を形成することをさらに備える、請求項２６に記載の方法。
【請求項２７】
前記ピアツーピア接続を形成する前に、前記第２の装置から識別情報を受信し、前記ワイヤレス通信ネットワーク上で前記第２の装置を識別することをさらに備える、請求項２５に記載の方法。
【請求項２８】
前記第２の装置からのピアツーピア接続を形成することを求める前記要求は、接続タイムアウトタイマが満了する前に受信され、前記接続タイムアウトタイマは、前記装置が前記赤外線信号を送る前記第２の装置からのピアツーピア要求を待つ持続時間を備える、請求項２５に記載の方法。
【請求項２９】
前記第２の装置からのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項２６に記載の方法。
【請求項３０】
前記第２のデバイスからの前記ピアツーピア接続を形成することを求める前記要求に対する前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、請求項２６に記載の方法。
【発明の詳細な説明】
【技術分野】
【０００１】
[0001]本願は概して、ワイヤレス通信に関し、より具体的には、複数のデバイス間でワイヤレス通信接続を確立することを自動化および支援するためのシステム、方法、およびデバイスに関する。
【背景技術】
【０００２】
[0002]いくつかの環境では、ユーザは、小さなスクリーンを有するデバイス上でアクセス可能なコンテンツ（例えば、メディアまたはデータ）を、より大きなディスプレイ（またはモニタ）を介してより多くの観客とともに表示することを所望しうる。それ故に、ユーザは、デバイスをより大きなディスプレイと接続しえ、それを介してコンテンツが共有されることになるより大きなディスプレイとデバイスとの間での接続は、ワイヤード（例えば、ＨＤＭＩ（登録商標）またはＵＳＢ）あるいはワイヤレス（例えば、Ｗｉ−ＦｉまたはＢｌｕｅｔｏｏｔｈ（登録商標））でありうる。ワイヤード接続では、デバイスとより大きなディスプレイとがユーザの手の届く範囲内にある必要があり、デバイスの制限された移動およびロケーションをもたらしうる。利用可能なワイヤおよびデバイスとより大きなディスプレイとの利用可能な接続あるいはポートはまた、ワイヤード接続を制限しうる。ワイヤレス接続は、接続されたデバイス間で直接通信パスを確立するために、ピアツーピア（Ｐ２Ｐ）アドホック関連付けまたはネットワークを利用しうるか、または接続されたワイヤレスデバイス間でアクセスポイント（ＡＰ）を介して通信するために、既存のワイヤレスネットワークを利用しうる。デバイスとより大きなディスプレイとの両方は、ワイヤレスネットワークに接続されることが可能であるべきである。
【０００３】
[0003]Ｗｉｒｅｌｅｓｓ−Ｄｉｓｐｌａｙ（ＷｉＤｉ）フレームワークは、デバイスがそのユーザインターフェース（ＵＩ）およびメディアを共有することを可能にし、既存のワイヤレスネットワークを介して、別のディスプレイデバイス、例えば、テレビ、コンピュータモニタ、プロジェクタ、等で制御する１つのフレームワークである。この共有することは、デバイスのディスプレイをより大きなディスプレイに拡張すること、またはデバイスのディスプレイをより大きなディスプレイ上に複製すること（duplicating）を伴いうる。例えば、モバイルデバイス（例えば、携帯電話）のユーザは、彼／彼女の電話を大きなテレビに物理的に接続することなしにビデオを大勢の人々により容易に見せるために、大きなテレビ上で携帯電話からのビデオをワイヤレスで表示することを望みうる。同様のコンテンツ共有フレームワークは、ワイヤード接続のためにも存在しうる。
【０００４】
[0004]電話と大きなテレビとの間でワイヤレスＰ２Ｐ接続を確立することは、複雑または時間がかかるプロセスでありうる。例えば、ユーザは、多様な技法のうちの任意のもの、例えば、ＰＩＮ（個人識別番号）またはＰＢＣ（プッシュボタン構成：Push-Button Configuration）ペアリング方法を使用して、彼の電話とより大きなテレビとを手動で対にしなければならないことがありうる（例えば、複数の個々のアクションを遂行する）。電子デバイスを互いにワイヤレスで接続するために使用されるこれらの方法または他のＷｉ−Ｆｉ Ｄｉｒｅｃｔ／Ｐ２Ｐおよびワイヤレス保護セットアップ（ＷＰＳ：Wireless-Protected-Setup）技術は、所与のＷｉ−Ｆｉネットワークの範囲内にある、およびそれに接続された、いかなるそして全てのワイヤレスデバイスも発見しうる。これらの方法および技術下において、より大きなテレビと対になろうとしている電話は、ワイヤレスネットワークに接続された全ての利用可能なテレビまたは他のディスプレイデバイスに関してワイヤレスネットワークを探索しうる。この探索の結果は、全てのデバイスのリストを生成し、電話上にリストを表示しうる。リストは、ユーザにとって可視またはアクセス可能でないことがありうるデバイス（例えば、他の部屋中にロケートされた（located）デバイス）または適切なディスプレイデバイスでないことがありうるデバイス（例えば、他の電話または小さなスクリーンを有するメディアプレーヤ）を含みうる。デバイスのリストは、リスト中のデバイスを個々に識別するために、多様な名称または他の識別情報のうちの任意のもの、例えば、ＭＡＣアドレス、ネットワーク識別子、等を利用しうる。多くの事例では、名称は、ユーザによって容易に理解されないことがありうるか、またはユーザは、リスト上のどのデバイスが、ユーザが使用することを望むディスプレイデバイスなのか決定することができないことがありうる。名称がユーザによって理解可能な場合であっても、ユーザはその後、ユーザがビデオを表示することを所望するテレビの名称を知ることになるだろう。
【０００５】
[0005]代替として、ＰＢＣまたはＷＰＳ方法を使用すると、ユーザは、ボタンを押すかまたは情報を入力するために、ユーザが情報またはメディアを表示することを所望するテレビにアクセスする必要がありえ、それは、テレビがどこにまたはどのように据え付けられているかによって難しいことがありうる。このことから、これらの方法または技術のうちの１つを使用することによる電話とより大きなディスプレイとのペアリングは、ユーザが電話をテレビと容易に素早く対にすることができないことがありうることから複雑となりうる。このことから、モバイルデバイスとより大きなディスプレイとの間での通信の自動化および簡略化された確立のための改善されたシステム、方法、およびデバイスが所望される。
【発明の概要】
【０００６】
[0006]本発明のシステム、方法、およびデバイスは各々、いくつかの態様を有し、それらのうちのいずれも、その望ましい属性を単独で担いはしない。本明細書で開示されるインプリメンテーションは各々、いくつかの革新的な態様を有し、それらのうちのいずれも、本発明の望ましい属性を単独で担いはしない。後続する特許請求の範囲によって表される本発明の範囲を限定することなしに、ここでいくつかの特徴が簡潔に論述されることになる。本論述を考慮した後、特に「詳細な説明」と題されたセクションを読んだ後、当業者は、本発明の様々なインプリメンテーションの特徴がモバイルデバイスとディスプレイデバイスとの間での改善された通信を含む利点をどのように提供するかを理解するであろう。
【０００７】
[0007]本開示のある態様では、ピアツーピア通信を確立するための装置が提供される。装置は、処理システム、赤外線送信機、およびアンテナを備えうる。処理システムは、ピアツーピア通信を開始するためのコマンドを受信するように構成されうる。処理システムはさらに、第２のデバイスへの送信のために赤外線信号を生成することと、ワイヤレス通信ネットワーク上で第２のデバイスを見出すこととを行うように構成されうる。処理システムはまた、ワイヤレス通信ネットワークを介した第２のデバイスへの送信のために、第２のデバイスとのピアツーピア接続を形成することを求める要求を生成するように構成されうる。処理システムはまたさらに、ワイヤレス通信ネットワーク上でピアツーピア接続を介して第２のデバイスに接続するように構成されうる。赤外線送信機は、赤外線信号を第２のデバイスに送信するように構成されえ、その一方でアンテナは、ワイヤレス通信ネットワーク上でワイヤレス通信に参加するように構成される。
【０００８】
[0008]本開示の別の態様は、ピアツーピア通信を確立するための方法に関する。方法は、第１のデバイスが、ピアツーピア通信を開始するためのコマンドを受信することを備える。方法はさらに、第２のデバイスへの送信のために赤外線通信を生成することと、赤外線通信を第２のデバイスに送信することとをさらに備えうる。方法はまた、ワイヤレス通信ネットワーク上で第２のデバイスを見出すことと、第２のデバイスとのピアツーピア通信を形成することを求める要求を生成することとを備えうる。方法はまたさらに、ピアツーピア接続を形成することを求める要求をワイヤレス通信ネットワークを介して第２のデバイスに送信することと、ワイヤレス通信ネットワーク上でピアツーピア接続を介して第２のデバイスに接続することとを備えうる。
【０００９】
[0009]本開示の別の態様は、ピアツーピア通信を確立するための装置に関する。装置は、第２の装置から赤外線信号を受信するように構成された赤外線受信機と、ワイヤレス通信ネットワーク上で通信するように構成されたアンテナとを備える。装置はさらに、電源投入（power on）信号および通信信号を備える赤外線信号を受信するように構成された処理システムを備える。処理システムはさらに、装置がスタンバイまたは低電力モードである場合に装置に電源投入することと、通信信号に基づいてワイヤレス通信ネットワークのためのネットワークパラメータを設定することとを行うように構成される。処理システムはまた、第２の装置からピアツーピア接続を形成することを求める要求を受信することと、ピアツーピア接続要求を受け入れるまたは拒否する、第２の装置への応答を生成することと、応答を第２の装置に送信することとを行うように構成される。
【００１０】
[0010]本開示の追加の態様は、ピアツーピア通信を確立するための方法に関する。方法は、第２の装置から赤外線信号を受信することを備え、赤外線信号は、電源投入信号および通信信号を備える。方法はさらに、装置がスタンバイまたは低電力モードである場合に装置に電源投入することと、受信された通信信号に基づいてワイヤレス通信ネットワークのためのネットワークパラメータを設定することとを備える。方法はまた、第２の装置からピアツーピア接続を形成することを求める要求を受信することと、ピアツーピア接続要求を受け入れるまたは拒否する、第２の装置への応答を生成することと、応答を第２の装置に送信することとを備える。
【００１１】
[0011]上述された態様、ならびに本技術の他の特徴、態様、および利点が、添付の図面を参照して、様々なインプリメンテーションに関連してここで説明されることになる。例示されるインプリメンテーションは、しかしながら、単に例に過ぎず、限定するようには意図されない。図面全体を通じて、そうでないとコンテキストが規定（dictate）しない限り、同様のシンボルは典型的に、同様のコンポーネントを識別する。後続の図面の相対的な寸法が正確な縮尺率で描かれていない（not be drawn to scale）ことがありうることに留意されたい。
【図面の簡単な説明】
【００１２】
【図１】例証的なインプリメンテーションにしたがって、ワイヤレスネットワーク上でペアリング処理を介して複数のディスプレイデバイスのうちの少なくとも１つとのワイヤレスＰ２Ｐ接続を確立することを試みる複数のモバイルデバイスのうちの１つまたは複数を有するシステムのインプリメンテーションを例示する。
【図２】例証的なインプリメンテーションにしたがって、ワイヤレスネットワーク上で赤外線通信と通信との組み合わせを介して複数のディスプレイデバイスのうちの少なくとも１つとのワイヤレスＰ２Ｐ接続を確立することを試みる１つのモバイルデバイスを有するシステムのインプリメンテーションを例示する。
【図３】例証的なインプリメンテーションにしたがって、図１および２のデバイスのうちの１つまたは複数のワイヤレスデバイスのインプリメンテーションを例示する。
【図４】例証的なインプリメンテーションにしたがって、ワイヤレスＰ２Ｐ接続を確立するときに１つのモバイルデバイスと少なくとも１つのディスプレイデバイスとの間で交換される通信を例示する。
【図５】例証的なインプリメンテーションにしたがって、赤外線通信を介して１つのモバイルデバイスから少なくとも１つのディスプレイデバイスに情報を通信するために使用されうるメッセージフレームを例示する。
【図６】例証的なインプリメンテーションにしたがって、１つのモバイルデバイスと少なくとも１つのディスプレイデバイスとの間でワイヤレスＰ２Ｐ接続を確立する方法のフローチャートを例示する。
【図７】例証的なインプリメンテーションにしたがって、１つのモバイルデバイスとのワイヤレスＰ２Ｐ接続を確立するように動作する少なくとも１つのディスプレイデバイスの機能ブロック図である。
【図８】例証的なインプリメンテーションにしたがって、少なくとも１つのディスプレイとのワイヤレスＰ２Ｐ接続を確立するための、１つのモバイルデバイスによってインプリメントされる、プロセスのインプリメンテーションのフローチャートを例示する。
【図９】例証的なインプリメンテーションにしたがって、１つのモバイルデバイスとのワイヤレスＰ２Ｐ接続を確立するための、少なくとも１つのディスプレイによってインプリメントされる、プロセスのインプリメンテーションのフローチャートを例示する。
【詳細な説明】
【００１３】
[0021]新規のシステム、装置、および方法の様々な態様が、添付の図面を参照して以下により十分に説明される。本開示は、しかしながら、多くの異なる形態で具現化されえ、本開示全体を通じて提示される任意の特定の構造または機能に限定されると解釈されるべきではない。むしろ、これらの態様は、本開示が徹底的かつ完全となり、本開示の範囲を当業者に十分に伝達しうるように提供される。本明細書での教示に基づいて、当業者は、本開示の範囲が、本発明の任意の他の態様とは独立してインプリメントされるか、または組み合わされてインプリメントされるかにかかわらず、本明細書で開示される新規のシステム、装置、および方法の任意の態様をカバーするように意図されていることを認識すべきである。例えば、本明細書に記載されている任意の数の態様を使用して、装置がインプリメントされうるか、または方法が実施されうる。加えて、本発明の範囲は、本明細書に記載されている本発明の様々な態様に加えて、またはそれ以外の、他の構造、機能、または構造と機能とを使用して実施されるそのような装置または方法をカバーするように意図される。本明細書で開示される任意の態様が、請求項の１つまたは複数の要素によって具現化されうることが理解されるべきである。
【００１４】
[0022]特定の態様が本明細書に説明されるが、これらの態様の多くの変形および置換が、本開示の範囲内に含まれる。好ましい態様のいくつかの利益および利点が記述されるが、本開示の範囲は、特定の利益、使用、または目的に限定されるようには意図されない。むしろ、本開示の態様は、異なるワイヤレス技術、システム構成、ネットワーク、および送信プロトコルに広く適用可能であるように意図されており、そのうちのいくつかは、図面中および好ましい態様の以下の説明中に例として例示される。詳細な説明および図面は単に、限定というよりはむしろ本開示の例示であり、本開示の範囲は、添付された特許請求の範囲およびそれらの同等物によって定義されている。
【００１５】
[0023]ポピュラーなワイヤレスネットワーク技術は、様々なタイプのワイヤレスローカルエリアネットワーク（ＷＬＡＮ）を含みうる。ＷＬＡＮは、広く使用されるネットワーキングプロトコルを用いて、近くのデバイスをともに相互接続するために使用されうる。本明細書に説明される様々な態様は、Ｗｉ−Ｆｉ、またはより一般には、ワイヤレスプロトコルのＩＥＥＥ８０２．１１ファミリの任意のメンバのような任意の通信規格に適用されうる。例えば、本明細書に説明される様々な態様は、ＩＥＥＥ８０２．１１ａｈプロトコルの一部として使用されえ、それは、サブ１ＧＨｚ帯域を使用する。
【００１６】
[0024]いくつかの態様では、サブギガヘルツ帯域中のワイヤレス信号は、直交周波数分割多重化（ＯＦＤＭ）、直接シーケンススペクトル拡散（ＤＳＳＳ：direct-sequence spread spectrum）通信、ＯＦＤＭおよびＤＳＳＳ通信の組み合わせ、または他のスキームを使用して、８０２．１１ａｈプロトコルにしたがって送信されうる。８０２．１１ａｈプロトコルのインプリメンテーションは、センサ、メータリング、およびスマートグリッドネットワークのために使用されうる。有利なことに、８０２．１１ａｈプロトコルをインプリメントするある特定のデバイスの態様は、他のワイヤレスプロトコルをインプリメントするデバイスより少ない電力を消費し、および／または、例えば、約１キロメートル以上の比較的長い範囲にわたってワイヤレス信号を送信するために使用されうる。
【００１７】
[0025]いくつかのインプリメンテーションでは、ＷＬＡＮは、ワイヤレスネットワークにアクセスするコンポーネントである様々なデバイスを含む。例えば、アクセスポイント（「ＡＰ」）と（局、または「ＳＴＡ」とも呼ばれる）クライアントとの２つのタイプのデバイスが存在しうる。一般に、ＡＰは、ＷＬＡＮのためのハブまたは基地局としての役割を果たし、ＳＴＡは、ＷＬＡＮのユーザとしての役割を果たす。例えば、ＳＴＡは、ラップトップコンピュータ、テレビ、プロジェクタ、携帯情報端末（ＰＤＡ）、モバイル電話、等でありうる。ある例では、ＳＴＡは、インターネットまたは他のワイドエリアネットワークに対する一般的な接続性を取得するために、Ｗｉ−Ｆｉ(例えば、８０２．１１ａｈのようなＩＥＥＥ８０２．１１プロトコル)準拠のワイヤレスリンクを介してＡＰに接続する。いくつかのインプリメンテーションでは、ＳＴＡはまた、ＡＰとして使用されうる。ＳＴＡまたはＡＰは、ワイヤレス通信ネットワーク中のワイヤレスノードまたはノードと呼ばれうる。ＳＴＡあるいはＡＰはまた、ワイヤレス通信ネットワーク中のアクセス端末またはワイヤレスデバイスと呼ばれうる。
【００１８】
[0026]いくつかの態様では、ノードは、ワイヤレスノードである。そのようなワイヤレスノードは、例えば、ワイヤードまたはワイヤレス通信リンクを介して、ネットワーク（例えば、セルラネットワークまたはインターネットのようなワイドエリアネットワーク）のための、またはそれへの接続性を提供しうる。本明細書での教示は、多様なワイヤードまたはワイヤレス装置（例えば、ノード）に組み込まれうる（例えば、それら内でインプリメントされうるか、またはそれらによって遂行されうる）。いくつかの態様では、本明細書での教示にしたがってインプリメントされるワイヤレスノードは、アクセスポイントまたはアクセス端末を備えうる。
【００１９】
[0027]アクセスポイント（「ＡＰ」）はまた、ノードＢ、無線ネットワークコントローラ（「ＲＮＣ」）、ｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、または何らかの他の専門用語を備えうるか、それらとしてインプリメントされうるか、またはそれらとして知られうる。
【００２０】
[0028]局「ＳＴＡ」はまた、アクセス端末（「ＡＴ」）、加入者局、加入者ユニット、モバイル局、リモート局、リモート端末、ユーザ端末、ユーザエージェント、ユーザデバイス、ユーザ機器、または何らかの他の専門用語を備えうるか、それらとしてインプリメントされうるか、またはそれらとして知られうる。いくつかのインプリメンテーションでは、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適した処理デバイスを備えうる。それ故に、本明細書で教示される１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、あるいは衛星ラジオ）、ゲーミングデバイスまたはシステム、全地球測位システムデバイス、もしくはワイヤレス媒体を介して通信するように構成された任意の他の適したデバイス中に組み込まれうる。
【００２１】
[0029]上述されたように、本明細書に説明されるデバイスのうちのある特定のものは、例えば、８０２．１１ａｈ規格をインプリメントしうる。そのようなデバイスは、ＳＴＡまたはＡＰとして使用されるか、あるいは他のデバイスとして使用されるかにかかわらず、スマートメータリングのために、もしくはスマートグリッドネットワーク中で使用されうる。そのようなデバイスは、センサアプリケーションを提供しうるか、またはホームオートメーション中で使用されうる。デバイスは代わりにまたは加えて、ヘルスケアコンテキスト中で、例えば、パーソナルヘルスケアのために使用されうる。それらはまた、（例えば、ホットスポットとともに使用するための）拡張された範囲のインターネット接続性を可能にするために、またはマシンツーマシン通信をインプリメントするために、監視用に使用されうる。
【００２２】
[0030]図１は、複数のモバイルデバイス１１２ａ−１１２ｃを有するシステム１００のインプリメンテーションを例示し、それらのうちの少なくとも１つは、ワイヤレスネットワーク１０２上で複数のディスプレイデバイス１１４ａ−１１４ｃのうちの１つまたは複数とのワイヤレスピアツーピア（Ｐ２Ｐ）接続を確立することを試みうる。図１によって示されるように、モバイルデバイス１１２ａ−１１２ｃの各々およびディスプレイデバイス１１４ａ−１１４ｃの各々は、ワイヤレスアクセスポイント１１０と通信しうる。これらのワイヤレス通信は、上述されたように、任意の８０２．１１ワイヤレスフォーマットまたは任意の他のワイヤレス規格の形態でありうる。
【００２３】
[0031]モバイルデバイス１１２ａ−１１２ｃは、それぞれ、メッセージ１２２ａ−１２２ｃを介してワイヤレスアクセスポイント（ＡＰ）１１０と通信しうる。メッセージ１２２ａ−１２２ｃは、ＡＰ１１０とモバイルデバイス１１２ａ−１１２ｃとの間のメッセージの両方向に対応しうる（例えば、ＡＰ１１０からモバイルデバイス１１２ａ−１１２ｃへのメッセージおよびモバイルデバイス１１２ａ−１１２ｃからＡＰ１１０へのメッセージ）。同様に、ディスプレイデバイス１１４ａ−１１４ｃは、それぞれ、メッセージ１２４ａ−１２４ｃを介してＡＰ１１０と通信しうる。メッセージ１２２ａ−１２２ｃに関して上述されたように、メッセージ１２４ａ−１２４ｃは各々、それぞれのディスプレイデバイス１１４ａ−１１４ｃとアクセスポイント１１０との間の双方向メッセージを表しうる。例えば、メッセージ１２４ａは、ディスプレイデバイス１１４ａからＡＰ１１０へのメッセージおよびＡＰ１１０からディスプレイデバイス１１４ａへのメッセージを表しうる。メッセージ１２４ｂは、ディスプレイデバイス１１４ｂからＡＰ１１０へのメッセージおよびＡＰ１１０からディスプレイデバイス１１４ｂへのメッセージを表しうる。メッセージ１２４ｃは、ディスプレイデバイス１１４ｃからＡＰ１１０へのメッセージおよびＡＰ１１０からディスプレイデバイス１１４ｃへのメッセージを表しうる。いくつかのインプリメンテーションでは、図１中に図示されているように、モバイルデバイス１１２ａは、ワイヤレス通信１２０を介してディスプレイデバイス１１４ａ−１１４ｃのうちの１つまたは複数と通信することが可能でありうる。ワイヤレス通信１２０は、Ｂｌｕｅｔｏｏｔｈ、アドホックＷｉ−Ｆｉ、等のうちの１つまたは複数を備えうる。
【００２４】
[0032]ワイヤレスネットワーク１０２は、ＡＰ１１０の範囲、例えば、その内部でＡＰ１１０がワイヤレスネットワーク１０２に接続された任意のデバイスと通信しうるエリアを表しうる。ＡＰ１１０は、ワイヤレスネットワーク１０２に関連付けられたデバイス間でのワイヤレス通信をサポートするために、ワイヤレスネットワーク１０２を確立および維持しうる。それ故に、ＡＰ１１０は、ワイヤレスネットワーク１０２に接続されたデバイスがＡＰ１１０を介して互いと通信することを可能にしうる。ワイヤレスネットワーク１０２に関連付けられたデバイス間のトラフィックは、ＡＰ１１０を介してルーティングされうるか、または様々なデバイス間で直接通信されうる。例えば、ディスプレイデバイス１１４ａは、ＡＰ１１０を通じてルーティングされたメッセージ１２４ａおよび１２４ｃを介してディスプレイデバイス１１４ｃと通信しうる。それ故に、ワイヤレスネットワーク１０２内のいかなるデバイスも、ワイヤレスネットワーク１０２内の任意の他のデバイスと通信することが可能でありうる。いくつかのインプリメンテーションでは、ディスプレイデバイス１１４ａ−１１４ｃのうちの１つまたは複数は、他のディスプレイデバイス１１４ａ−１１４ｃとは、あるいはモバイルデバイス１１２ａ−１１２ｃのうちの１つまたは複数とは別個の部屋もしくはロケーション中にありえ、モバイルデバイス１１２ａ−１１２ｃのうちの１つまたは複数にとって可視ではないことがありうる。しかしながら、ワイヤレスネットワーク１０２に接続された場合、これらのデバイスは、同じ部屋中に物理的にロケートされなくても、ワイヤレスネットワーク１０２を介して互いと通信することが可能でありうる。
【００２５】
[0033]モバイルデバイス１１２ａ−１１２ｃは、セルラ電話またはメディアデバイスあるいはユーザがそれからのコンテンツ（例えば、メディア、データ、あるいは他の情報）を表示することを所望しうる任意の他のモバイルまたは固定式デバイスを表しうる。ディスプレイデバイス１１４ａ−１１４ｃは、テレビ、モニタ、プロジェクタ、またはその上にコンテンツが１人の人間あるいは一群の人々に対してより容易に表示されうる他のデバイスを表しうる。例えば、ユーザは、携帯電話１１２ａからのピクチャをテレビ１１４ａを介して一群の人々に表示することを望みうるか、メディアプレーヤからのビデオをプロジェクタ１１４ｂ上でブロードキャスタすることを望みうる。図１中に示されているように、ワイヤレスネットワーク１０２は、モバイルデバイス１１２ａ−１１２ｃのうちの１つまたは複数からのメディアまたは他のデータをディスプレイデバイス１１４ａ−１１４ｃのうちの１つまたは複数にワイヤレスで共有することを可能にしうる。
【００２６】
[0034]いくつかのインプリメンテーションでは、モバイルデバイス１１２ａのユーザは、モバイルデバイス１１２ａをそれぞれのディスプレイデバイス（１つ以上）１１２に物理的に接続することなしに、上述されたコンテンツをディスプレイデバイス１１４ａ−１１４ｃのうちの１つまたは複数上に表示することを所望しうる。上述されたように、ディスプレイデバイス１１４ａ−１１４ｃのうちの１つにワイヤレスで接続するために、ユーザは、モバイルデバイス１１２ａを介して、ワイヤレスネットワーク１０２に接続された全てのデバイスに関してスキャンしうる。スキャンは、デバイス１１２ｂ、１１２ｃ、および１１４ａ−１１４ｃの全てのリストをもたらしえ、デバイス１１２ｂ、１１２ｃ、および１１４ａ−１１４ｃの各々は、リスト中に固有の識別子を有する。しかしながら、上述されたように、ディスプレイデバイス１１４ａ−１１４ｃの全てがモバイルデバイス１１２ａにとって物理的に可視でありうる訳ではなく、他のモバイルデバイス１１２ｂおよび１１２ｃもまた返されうることから、リスト中に返されるデバイスの全てがディスプレイデバイス１１４ａ−１１４ｃでありうる訳ではない。それ故に、モバイルデバイス１１２ａのユーザは、どのディスプレイデバイス１１４ａが彼にとってアクセス可能であるか知ることになり、何の固有の識別子がディスプレイデバイス１１４ａ（またはその上にユーザがコンテンツを表示することを望むディスプレイデバイス１１４）に対応するかを知ることになるだろう。
【００２７】
[0035]図２は、ワイヤレスネットワーク上で赤外線通信２２０とＡＰ１１０を介したメッセージ１２４ａおよび１２４ｂとの組み合わせを介して複数のディスプレイデバイス１１４ａおよび１１４ｂのうちの１つとのワイヤレスＰ２Ｐ接続を確立することを試みる１つモバイルデバイス１１２ａを有するシステム２００のインプリメンテーションを例示する。図２のデバイスの多くは、図１中に示されているデバイスと全く同じもの（duplicate）であり、再び説明されない。図２中に示されているように、モバイルデバイス１１２ａと、ＡＰ１１０と、ディスプレイデバイス１１４ａおよび１１４ｂとの全ては、ワイヤレスネットワーク１０２に接続されている。図１を参照して説明されたように、ディスプレイデバイス１１４ａおよび１１４ｂは、同じ部屋中にないか、または互いあるいはモバイルデバイス１１２ａの見通し線内にないことがありうる。それ故に、上述されたように、モバイルデバイス１１２ａのユーザにとって、上述されたワイヤレスネットワークリストに関連付けられたディスプレイデバイス１１４の名称をユーザが知らない場合、どちらのディスプレイデバイス１１４ａまたは１１４ｂが彼の見通し線中にあるかを決定するのは困難でありうる。
【００２８】
[0036]このことから、図２は、接続処理のアクティブ化を超えたユーザの関与を必要とすることなしに、モバイルデバイス１１２ａとディスプレイデバイス１１４ａとの間でのＰ２Ｐ通信を確立するシステムを図示する。図２中に示されているシステムは、モバイルデバイス１１２ａとディスプレイデバイス１１４ａとの間での赤外線通信２２０を含む。いくつかのインプリメンテーションでは、モバイルデバイス１１２ａとディスプレイデバイス１１４ａとの間でのＰ２Ｐ接続を作成する方法は、赤外線通信２２０を組み込みうる。見通し線通信方法（line-of-sight communication method）である赤外線通信は、すぐ近くの視覚的近接（immediate, visual vicinity）内のデバイスへの通信を分離するために使用されうる。加えて、赤外線通信を放出するために使用されるエミッタに依存して、赤外線通信は、指向性でありえ、赤外線通信のソースが、特定の方向に赤外線通信を送信するために、特定の方法で「向けられる（pointed）」または位置付けられる必要がありうることを意味する。
【００２９】
[0037]このことから、図２中に図示されているシステムは、モバイルデバイス１１２ａからディスプレイデバイス１１４ａへの赤外線通信２２０を生成および送信することによって、モバイルデバイス１１２ａとディスプレイデバイス１１４ａとの間でのＰ２Ｐ通信を作成するために使用されうる。上述されたように、モバイルデバイス１１２ａは、赤外線通信２２０を正確に通信するために、ディスプレイデバイス１１４ａに向けられる必要がありえ、それ故に、ユーザは、Ｐ２Ｐ通信が所望のディスプレイデバイス１１４ａと確立されることになることを保証されうる。いくつかのインプリメンテーションでは、赤外線通信２２０は、モバイルデバイス１１２ａに関する初期識別情報をディスプレイデバイス１１４ａに提供することによってＰ２Ｐ通信の確立を簡略化しうるか、または特定のアクションを遂行するようにディスプレイデバイス１１４ａに命令するコマンドを提供しうる。接続ボタンをアクティブ化するためにディスプレイデバイス１１４ａへの物理的アクセスを得る、または様々なネットワークデバイスのリストからディスプレイデバイス１１４ａを選択することをユーザが必要とされないことから、図２中に図示されているシステムは、自動化されうる簡略化された接続を提供する。
【００３０】
[0038]赤外線通信２２０がモバイルデバイス１１２ａからディスプレイデバイス１１４ａに通信された後で、メッセージ１２２ａおよび１２４ａを介して、ＡＰ１１０を通じてルーティングされたＰ２Ｐ通信が確立されうる。いくつかのインプリメンテーションでは、Ｐ２Ｐ通信は、アドホックＰ２Ｐワイヤレス接続または任意の他のワイヤレスＰ２Ｐネットワーキング接続（例えば、Ｂｌｕｅｔｏｏｔｈ）を介して、モバイルデバイス１１２ａとディスプレイデバイス１１４ａとの間で直接確立されうる（この図中には図示せず）。いくつかのインプリメンテーションでは、識別情報は、上述された赤外線通信２２０を介して共有されうる。識別情報は、ディスプレイデバイス１１４ａとモバイルデバイス１１２ａとがワイヤレスネットワーク１０２上で互いをより容易に識別することを可能にするために使用されうる。例えば、識別情報は、ネットワーク上の何のデバイスが赤外線通信２２０のソースだったかをディスプレイデバイス１１４ａが知るように、モバイルデバイス１１２ａのＩＰ、ＭＡＣまたは他のアドレスを備えうる。いくつかのインプリメンテーションでは、赤外線通信２２０は、特定のアクション遂行する、例えば、ワイヤレスネットワーキング接続を所与のチャネルに切り替えて、そのチャネル上でのさらなる通信を待つようにディスプレイデバイス１１４ａに命令する追加のコマンドを備えうる。いくつかの他のインプリメンテーションでは、赤外線通信２２０は、追加のコマンドおよび識別情報の両方を備えうるか、またはＰ２Ｐ接続を作成することを容易にするために使用されうる他の情報あるいはデータを備えうる。
【００３１】
[0039]いくつかの実施形態では、ディスプレイデバイス１１４ａ−１１４ｃは、赤外線受信機を備えうる。例えば、赤外線受信機は、ディスプレイデバイス１１４ａが他のデバイス（例えば、リモコン、ＰＤＡ、コンピュータ、等）から赤外線コマンドを受信することを可能にしうる。いくつかの実施形態では、赤外線受信機は、赤外線トランシーバを備えることがありえ、ディスプレイデバイス１１４ａが双方向赤外線通信に参加することを可能にする。ディスプレイデバイス１１４ａはさらに、ワイヤレス通信ネットワーク（例えば、Ｗｉ−Ｆｉネットワーク）上で通信するように構成されたアンテナまたは他の通信構造を備えうる。ディスプレイデバイス１１４ａはさらに、赤外線受信機からの受信された赤外線信号が別のデバイス（例えば、リモコン）ではなくモバイルデバイス１１２ａから受信されたことを決定するように構成された処理システムを備えうる。処理システムは、電源投入コマンドおよびネットワークパラメータ信号を識別する。電源投入コマンドは、それが低電力またはスタンバイモードである場合にディスプレイデバイス１１４ａをオンにするために使用されうる。ネットワークパラメータ信号は、それからの赤外線信号が受信されたモバイルデバイス１１２ａがワイヤレス通信ネットワーク上のどこでディスプレイデバイス１１４ａを見出すかを知ることになるように、そのネットワーク設定を標準またはデフォルトチャネルおよびアドレスに設定するためにディスプレイデバイス１１４ａによって使用されうる。処理システムはその後、モバイルデバイス１１２ａからワイヤレス通信アンテナを介してピアツーピア接続を形成することを求める要求を受信しうる。それ故に、処理システムは、Ｐ２Ｐ接続要求を受け入れるまたは拒否する応答を生成し、応答をモバイルデバイス１１２ａに送信しうる。いくつかの実施形態では、ディスプレイデバイス１１４ａは、要求を受け入れうるが、モバイルデバイス１１２ａから受信されたものとは代替の接続パラメータ（例えば、Ｐ２Ｐ接続速度、持続時間、等）を提案しうる。いくつかの実施形態では、処理システムは、処理システムが赤外線信号に基づいてそのネットワークパラメータを設定するとカウントダウンを始めるタイマを備えうる。タイマがそのカウントダウンを完了する前にディスプレイデバイス１１４ａがＰ２Ｐ接続要求を受信しない場合、ディスプレイデバイス１１４ａは、スタンバイまたは低電力モードに入りうる。
【００３２】
[0040]図３を参照すると、図１および２の通信システム内で用いられうるワイヤレスデバイス３０２の例証的な機能ブロック図である。ワイヤレスデバイス３０２は、本明細書に説明される様々な方法をインプリメントするように構成されたデバイスの例である。例えば、ワイヤレスデバイス３０２は、デバイス１１２ａ−１１２ｃまたは１１４ａ−１１４ｃのうちの１つを備えうる。当業者は、ワイヤレスデバイスが本明細書に説明される簡略化されたワイヤレスデバイスより多くのコンポーネントを有することができることを認識するであろう。本明細書に説明されるワイヤレスデバイスは、特許請求の範囲内のインプリメンテーションのいくつかの顕著な特徴を説明するために有用であるそれらのコンポーネントのみを含む。
【００３３】
[0041]ワイヤレスデバイス３０２は、ワイヤレスデバイス３０２の動作を制御するプロセッサ３０４を含みうる。プロセッサ３０４はまた、中央処理ユニット（ＣＰＵ）と呼ばれうる。読取専用メモリ（ＲＯＭ）およびランダムアクセスメモリ（ＲＡＭ）の両方を含みうるメモリ３０６は、プロセッサ３０４に命令およびデータを提供しうる。メモリ３０６の一部分はまた、不揮発性ランダムアクセスメモリ（ＮＶＲＡＭ）を含みうる。プロセッサ３０４は典型的に、メモリ３０６内に記憶されたプログラム命令に基づいて論理および算術演算を遂行する。メモリ３０６中の命令は、本明細書に説明される方法をインプリメントするように実行可能でありうる。
【００３４】
[0042]プロセッサ３０４は、１つまたは複数のプロセッサでインプリメントされる処理システムのコンポーネントでありうるか、またはそれを備えうる。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、コントローラ、ステートマシン（state machines）、ゲートロジック、離散ハードウェアコンポーネント、専用ハードウェア有限ステートマシン、または算出あるいは情報の他の操作を遂行することができる任意の他の適したエンティティの任意の組み合わせでインプリメントされうる。
【００３５】
[0043]処理システムはまた、ソフトウェアを記憶するための機械可読媒体を含みうる。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、またはそれ以外で呼ばれるかにかかわらず、任意のタイプの命令を意味するように広く解釈されるべきである。命令は、（例えば、ソースコードフォーマット、バイナリコードフォーマット、実行可能コードフォーマット、または任意の他の適したコードのフォーマットで）コードを含みうる。命令は、１つまたは複数のプロセッサによって実行されたとき、処理システムに、本明細書に説明される様々な機能を遂行させる。
【００３６】
[0044]ワイヤレスデバイス３０２はまた、ワイヤレスデバイス３０２とリモートロケーションとの間でのデータの送信および受信を可能にするために、送信機３１０および／または受信機３１２を含みうるハウジング３０８を含みうる。送信機３１０および受信機３１２は、トランシーバ３１４へと組み合わされうる。アンテナ３１６は、ハウジング３０８に取り付けられ、トランシーバ３１４に電気的に結合されうる。ワイヤレスデバイス３０２はまた、複数の送信機、複数の受信機、複数のトランシーバ、および／または複数のアンテナを含みうる（図示せず）。
【００３７】
[0045]ワイヤレスデバイス３０２はまた、トランシーバ３１４によって受信される信号のレベルを検出および定量化する試みにおいて使用されうる信号検出器３１８を含みうる。信号検出器３１８は、そのような信号を、総エネルギー、シンボルあたりのサブキャリアあたりのエネルギー、電力スペクトル密度および他の信号として検出しうる。ワイヤレスデバイス３０２はまた、赤外線信号を処理する際に使用するための赤外線トランシーバ３２０を含みうる。いくつかのインプリメンテーションでは、赤外線トランシーバ３２０は、２つの別個のコンポーネント、赤外線送信機と赤外線受信機とに分けられうる（この図中には図示せず）。赤外線トランシーバ３２０は、別の赤外線デバイスに／から情報のパケットを送信および／または受信するように構成されうる。いくつかの態様では、赤外線トランシーバ３２０は、ハウジング３０８中に視覚的に露出された一部分を有しうる赤外線エミッタ／受信機３２１に結合されうる。赤外線信号は、光波であることから、赤外線エミッタ／受信機３２１は、ハウジング３０８の外部にあるデバイスに光学的にアクセス可能であるべきである。エミッタ／受信機３２１は、赤外線トランシーバ３２０への／からの光学接続を外部赤外線デバイスに提供する。赤外線エミッタ／受信機３２１は、送信のためにトランシーバ３２０から受信されたデータに対応する赤外線信号を生成しうる。赤外線エミッタ／受信機３２１は、外部赤外線デバイスから受信された赤外線信号に対応する、トランシーバ３２０に通信するためのデータを生成しうる。いくつかのインプリメンテーションでは、赤外線トランシーバ３２０または赤外線送信機によって送信される赤外線通信は、見通し線内にある別の赤外線デバイスによってのみ受信されうる。これは、何も赤外線トランシーバ３２０と赤外線デバイスとの間の視覚的パスをブロックしないことがありうることを意味する。加えて、赤外線エミッタ／受信機３２１によって生成された赤外線信号は、指向性でありうる（例えば、赤外線エミッタ／受信機３２１は、赤外線エミッタ／受信機３２１によって放出される信号が他の赤外線デバイスによって受信されるように、赤外線デバイスの大体の方向（general direction）に向けられるべきである）。赤外線デバイスから赤外線信号を受信することは、同様の限定（例えば、見通し線および指向性）によって制限されうる。
【００３８】
[0046]ワイヤレスデバイス３０２はさらに、いくつかの態様では、ユーザインターフェース３２２を備えうる。ユーザインターフェース３２２は、キーパッド、マイクロフォン、スピーカ、および／またはディスプレイを備えうる。ユーザインターフェース３２２は、ワイヤレスデバイス３０２のユーザに情報を伝達するおよび／またはユーザからの入力を受信する任意の要素またはコンポーネントを含みうる。
【００３９】
[0047]ワイヤレスデバイス３０２の様々なコンポーネントは、バスシステム３２６によってともに結合されうる。バスシステム３２６は、データバス、例えば、ならびにデータバスに加えて、電力バス、制御信号バス、および状態信号バスを含みうる。当業者は、ワイヤレスデバイス３０２のコンポーネントがともに結合されうること、または何らかの他のメカニズムを使用して互いへの入力を受け入れうるあるいは提供しうることを認識しうる。
【００４０】
[0048]いくつか別個のコンポーネントが図３中に例示されているが、当業者は、コンポーネントのうちの１つまたは複数が組み合わされうるか、または共通にインプリメントされうることを認識しうる。例えば、プロセッサ３０４は、プロセッサ３０４に関して上述された機能をインプリメントするだけでなく、信号検出器３１８に関して上述された機能をインプリメントするためにも使用されうる。さらに、図３中に例示されているコンポーネントの各々は、複数の別個の要素を使用してインプリメントされうる。
【００４１】
[0049]ワイヤレスデバイス３０２は、デバイス１１０、１１２ａ−１１２ｃおよび１１４ａ−１１４ｃを備え、通信を送信および／または受信するために使用されうる。すなわち、デバイス１１０、１１２ａ−１１２ｃおよび１１４ａ−１１４ｃは、送信機または受信機デバイスとしての役割を果たしうる。ある特定の態様は、信号検出器３１８が送信機または受信機の存在を検出するためにプロセッサ３０４およびメモリ３０６上で実行中のソフトウェアによって使用されることを企図する。
【００４２】
[0050]上述されたように、ワイヤレスデバイス３０２のようなワイヤレスデバイスは、デバイスメッシュネットワーク１１０ａのようなワイヤレス通信システム内でサービスまたは通信を提供するように構成されうる。例えば、デバイス１１２ａ−１１２ｃのようなワイヤレスデバイス３０２は、データ（例えば、センサ測定値、ロケーション座標、等）をキャプチャまたは算出するために使用されうるハードウェア（例えば、カメラ、ブラウザ、等）を含みうる。デバイス１１２ａ−１１２ｃおよび１１４ａ−１１４ｃ上で実行中のアプリケーションはその後、動作を遂行するために、キャプチャされたまたは算出されたデータを使用しうる。デバイス１１２ａ−１１２ｃおよび１１４ａ−１１４ｃは、互いと通信することが可能であり、デバイス１１２ａ−１１２ｃと１１４ａ−１１４ｃとの間での制御およびコンテンツの共有を可能にするハードウェアを含みうる。例えば、デバイス１１２ａは、制御およびコンテンツをデバイス１１４ａに通信することができ、それにより、デバイス１１４ａおよび何のコンテンツがデバイス１１４ａによって表示されうるかを制御する。
【００４３】
[0051]図４は、例証的なインプリメンテーションにしたがって、ワイヤレスＰ２Ｐ接続を確立するときにモバイルデバイス１１２ａとＡＰ１１０とディスプレイデバイス１１４ａとの間で交換される通信を例示する。その図は、３つのデバイス、図１および２中で参照されたＡＰ１１０と、図１および２中で参照されたモバイルデバイス１１２ａと、図１および２中で参照されたディスプレイデバイス１１４ａを図示する。モバイルデバイス１１２ａ、ＡＰ１１０、およびディスプレイデバイス１１４ａの下には、モバイルデバイス１１２ａと、ＡＰ１１０と、ディスプレイデバイス１１４ａとの間で通信される複数のメッセージが示されている。当業者は、本明細書に説明される発明によって、示されていない追加のメッセージが利用されうること、または示されているメッセージの全てが利用されうる訳ではないこと、を理解するであろう。
【００４４】
[0052]図２を参照して論述されたように、２つのタイプの通信が、ＡＰ１１０と、モバイルデバイス１１２ａと、ディスプレイデバイス１１４ａとの間に存在しうる。いくつかのインプリメンテーションでは、図４中に示されているように、通信のそれらの２つのモードは、Ｗｉ−Ｆｉおよび赤外線を備えうる。例えば、図２中で論述された赤外線通信２２０は、モバイルデバイス１１２ａから直接ディスプレイデバイス１１４ａに通信されるように示されている。加えて、複数のＷｉ−Ｆｉ通信メッセージが、モバイルデバイス１１２ａと、アクセスポイント１１０と、ディスプレイデバイス１１４ａとの間に示されている。さらに、図４は、モバイルデバイス１１２ａのユーザから受信されるペアリングコマンド４０１を示している。ペアリングコマンド４０１を受信することは、図２中に簡潔に説明されたＰ２Ｐペアリング処理を開始しうる。上述されたように、赤外線通信のタイプに起因して、ユーザは、ディスプレイデバイス１１４ａの大体の方向にモバイルデバイス１１２ａを向け、コマンドをアクティブ化するためにボタン／スイッチを押しうる。「ペアリング」コマンド４０１がアクティブ化された後で、モバイル電話デバイス１１２は、ディスプレイデバイス１１４ａへの電源投入コマンド４０２を生成および送信しうる。電源投入コマンド４０２は、図２によって参照された赤外線通信２２０でありうる。電源投入コマンド４０２を備える赤外線通信２２０が（図３に関連して上述されたように）指向性および見通し線であることから、ディスプレイデバイス１１４ａが赤外線通信２２０内で電源投入コマンド４０２を受信するために、モバイルデバイス１１２ａは、ディスプレイデバイス１１４ａの方向に向けられるべきであり、モバイルデバイス１１２ａとディスプレイデバイス１１４ａとの間での赤外線通信２２０のパスをブロックするものは何も存在すべきでない。
【００４５】
[0053]ディスプレイデバイス１１４ａがモバイルデバイス１１２ａから電源投入コマンド４０２を受信すると、ディスプレイデバイス１１４ａは、それが既に電源投入されていない場合に「電源投入」しうる。いくつかのインプリメンテーションでは、電源投入コマンド４０２は、ディスプレイデバイス１１４ａにそのＷｉ−Ｆｉ通信能力をアクティブ化することを要求していると解釈されうる。加えて、いくつかのインプリメンテーションでは、上述されたように、電源投入コマンド４０２は、追加のコマンドまたは情報を備えうる。例えば、電源投入コマンド４０２は、電源投入コマンド４０２のソースとしてのモバイルデバイス１１２についての識別情報を備えうる。代替として、または加えて、電源投入コマンド４０２は、特定のチャネルに切り替わり、モバイルデバイス１１２ａに関してスキャンするようにディスプレイデバイス１１４ａに命令する追加のコマンドを備えうる。いくつかのインプリメンテーションでは、それにディスプレイデバイス１１４ａが切り替わる特定のチャネルは、ディスプレイデバイス１１４ａの製造業者によって確立され、ディスプレイデバイス１１４ａのメモリ中に記憶されうる。いくつかの他のインプリメンテーションでは、特定のチャネルは、電源投入コマンド４０２中に示されうる。代替として、特定のチャネルは、産業または標準セットでありうる。いくつかのインプリメンテーションでは、電源投入コマンド４０２は、第３のデバイス（この図中では図示せず）に関してスキャンするようにディスプレイデバイス１１４ａに命令する、および／または識別情報を第３のデバイスに提供する追加のコマンドを備えうる。
【００４６】
[0054]電源投入コマンド４０２を受信し、関連するコマンドを遂行し、および／または関連する情報を受信した後で、ディスプレイデバイス１１４ａは、電源投入コマンド４０２のソースとしてのモバイルデバイス１１２ａに関してスキャンしうる。スキャンは、ディスプレイデバイス１１４ａがスキャンメッセージ４０４をＡＰ１１０に送ること、およびＡＰ１１０がスキャンメッセージ４０６をモバイルデバイス１１２ａを含め全ての接続されたデバイスに転送することを備えうる。代替として、電源投入コマンド４０２が特定のチャネル上での通信に切り替わるようにディスプレイデバイス１１４ａに命令したいくつかのインプリメンテーションでは、モバイルデバイス１１２ａは、ＡＰ１１０との通信を介して特定のチャネル上でディスプレイデバイス１１４ａに関してスキャンしうる（この図上では図示せず）。
【００４７】
[0055]代替として、または加えて、モバイルデバイス１１２ａは、メッセージ１２２ａを介したＡＰ１１０へのＷｉ−Ｆｉ ｄｉｒｅｃｔ／Ｐ２Ｐ（Ｐ２Ｐ）要求メッセージ４０８を生成および送信しうる。Ｐ２Ｐ要求メッセージ４０８は、ディスプレイデバイス１１４ａとのＰ２Ｐ接続を要求する要求および関連する情報を備えうる。例えば、Ｐ２Ｐ要求４０８は、他のパラメータおよび情報の中でもとりわけ、Ｐ２Ｐ接続のための示唆されたチャネル、Ｐ２Ｐ接続のための示唆された速度、Ｐ２Ｐ接続のための示唆された持続時間のうちの１つまたは複数を含みうる。いくつかのインプリメンテーションでは、モバイルデバイス１１２ａは、ディスプレイデバイス１１４ａの固有のＷｉ−Ｆｉアドレスを未だに知らないことがありえ、ＡＰ１１０は、Ｐ２Ｐ要求４１０（Ｐ２Ｐ要求４０８と本質的に全く同じもの）を全ての接続されたネットワークデバイスにブロードキャストするように指示されえ、それらのうちの１つは、ディスプレイデバイス１１４ａを備えうる。
【００４８】
[0056]ディスプレイデバイス１１４ａがＡＰ１１０およびモバイルデバイス１１２ａによってブロードキャストされたＰ２Ｐ要求４０８／４１０を受信すると、ディスプレイデバイス１１４ａは、Ｗｉ−Ｆｉ Ｄｉｒｅｃｔ／Ｐ２Ｐ（Ｐ２Ｐ）応答４１２を生成および送信しうる。ディスプレイデバイス１１４ａは、Ｐ２Ｐ応答４１２をＡＰ１１０を介してモバイルデバイス１１２ａに送信しうるか、またはＰ２Ｐ応答４１２をＰ２Ｐ要求４１０中に示されたチャネルを直接介してモバイルデバイス１１２ａに送信しうる。Ｐ２Ｐ応答４１２は、ディスプレイデバイス１１４ａがＰ２Ｐ通信に参加することに同意する、またはＰ２Ｐ通信に参加することに同意しないことを示しうる。例えば、いくつかのインプリメンテーションでは、ディスプレイデバイス１１４ａは既に、別のモバイルデバイス１１２とのＰ２Ｐ通信に参加していることがありえ、このことから、要求されたようにディスプレイデバイス１１２ａとのＰ２Ｐ通信に参加することに同意しないことがありうる。代替として、ディスプレイデバイス１１４ａは、モバイルデバイス１１２ａによって要求された速度または持続時間あるいは他のパラメータもしくは設定要件にそれが同意できないことから、Ｐ２Ｐ通信に参加することに同意しないことがありうる。いくつかのインプリメンテーションでは、ディスプレイデバイス１１４ａは、通信に同意しない一方で新しい速度または新しい持続時間あるいは他のパラメータもしくは設定をＰ２Ｐ応答４１２／４１４中で示唆しえ、このことから、なぜディスプレイデバイス１１４ａが同意しないでいるのかをモバイルデバイス１１２ａに知らせる。いくつかのインプリメンテーションでは、ディスプレイデバイス１１４ａは、新しい速度または新しい持続時間あるいは他のパラメータをＰ２Ｐ応答４１２／４１４中で示唆しながらもＰ２Ｐ通信に同意しうる。その後、モバイルデバイス１１２ａおよびディスプレイデバイス１１４ａがパラメータ（例えば、速度、持続時間、複信／半複信、チャネル、メディアタイプ、等）のセットに同意した場合、２つのデバイス１１２ａおよび１１４ａは、Ｗｉ−Ｆｉ Ｄｉｒｅｃｔ／Ｐ２Ｐ（Ｐ２Ｐ）通信４１６に参加し、情報を双方向に通信しうる。Ｐ２Ｐ通信４１６の目的がモバイルデバイス１１２ａからのコンテンツをディスプレイデバイス１１４ａ上に表示することでありうることから、Ｐ２Ｐ通信４１６は、双方向でないことがありうるが、代わりに、モバイルデバイス１１２ａからディスプレイデバイス１１４ａへのデータフローのみをサポートする。
【００４９】
[0057]代替として、この図中には示されていないが、モバイルデバイス１１２ａは、ディスプレイデバイス１１４ａへのＰ２Ｐ要求を生成し、直接送信することを試みうる。そのようなインプリメンテーションでは、モバイルデバイス１１２ａは、電源投入コマンド４０２中で命令された特定のチャネル上、または製造業者の特定のチャネルのリストにしたがった特定のチャネル上、等で、生成されたＰ２Ｐ要求を送信しうる。モバイルデバイス１１２ａが特定の時間内にＰ２Ｐ要求に同意するまたは同意しないＰ２Ｐ応答メッセージをディスプレイデバイス１１４ａから受信しない場合、モバイルデバイス１１２ａは、ディスプレイデバイス１１４ａの異なるモデル／製造業者に関連付けられた異なるチャネル上でＰ２Ｐ要求を送信しうる。このプロセスは、モバイルデバイス１１２ａがＰ２Ｐ通信に参加することに同意するか、または同意しないかのいずれかのＰ２Ｐ応答をディスプレイデバイス１１４ａから受信するまで繰り返されうる。いくつかの実施形態では、Ｐ２Ｐ応答は、Ｐ２Ｐ接続の持続時間のための示唆、Ｐ２Ｐ接続のための異なる示唆された速度、異なる示唆されたチャネル、および異なる示唆されたメディアタイプのうちの１つまたは複数を備えうる。
【００５０】
[0058]図５は、例証的なインプリメンテーションにしたがって、情報を赤外線通信２２０を介して通信するために使用されうるメッセージフレーム５００を例示する。当業者は、メッセージフレーム５００が本明細書に説明される簡略化されたメッセージフレーム５００より多くのまたはより少ないフィールドを有することができることを認識するであろう。本明細書に説明されるメッセージフレーム５００は、特許請求の範囲内のインプリメンテーションのいくつかの顕著な特徴を説明するために有用であるそれらのフィールドのみを含む。いくつかのインプリメンテーションでは、メッセージフレーム５００中のフィールドの順序は異なりうる。
【００５１】
[0059]メッセージフレーム５００は、モバイルデバイス１１２ａからディスプレイデバイス１１４ａに赤外線通信２２０を介して通信されうる。メッセージフレームは、電源投入信号フィールド５０２を含みうる。電源投入信号フィールド５０２は、図４に関連して上述された電源投入信号を備えうる。電源投入信号フィールド５０２は、電源投入する、オンにする、そのワイヤレス通信能力をアクティブ化する、または何らかの他のコマンドを遂行するようにディスプレイデバイス１１４ａに命令するコマンドを備える。いくつかのインプリメンテーションでは、電源投入コマンド信号４０２が追加のコマンドまたは情報を含む場合、これらの追加のコマンドまたは情報は、電源投入信号フィールド５０２内に包含されうる。電源投入信号フィールド５０２は、１バイトの長さを有しているものとして示されている。しかしながら、いくつかのインプリメンテーションでは、電源投入信号フィールド５０２は、より長いまたはより短い長さのものでありうる。電源投入信号フィールド５０２は、通信される情報またはコマンド（１つ以上）を識別する整数値を含みうる。メッセージフレーム５００はさらに、要素ＩＤフィールド５０４を含みうる。要素ＩＤフィールド５０４は、長さが１バイトであり、例えば、特定のメッセージフレームまたはメッセージフレームタイプを識別する整数値を含みうる。例えば、メッセージフレーム５００が電源投入信号メッセージフレームを識別するために使用される場合、要素ＩＤフィールド５０４は、第１の値でありうる。メッセージフレームが電源投入信号と追加情報とを識別するために使用される場合、要素ＩＤフィールド５０４は、第２の値でありうる。メッセージフレーム５００はさらに、長さフィールドを含みえ、それもまた、長さが１バイトでありうる。長さフィールドは、メッセージフレーム５００中の後続のフィールドの長さをオクテットで示す整数値を含みうる。例えば、図示されているメッセージフレーム５００の値は、２バイトでありうる（ソースアドレスフィールド５０８とコマンドの末尾（end of command）フィールド５１０に対して各々１バイト）。メッセージフレーム５００のソースアドレスフィールド５０８は、１バイトの長さでありうる。ソースアドレスフィールド５０８は、メッセージフレーム５００のソースのＭＡＣアドレスまたは他の識別アドレスを備えうる。いくつかのインプリメンテーションでは、ソースアドレスフィールド５０８は、整数形式または１６進形式でありうる。メッセージフレームはさらに、コマンドの末尾フィールド５１０を含みうる。コマンドの末尾フィールド５１０は、メッセージフレーム５００の末尾を示す整数値を含みうる。
【００５２】
[0060]図６は、例証的なインプリメンテーションにしたがって、ディスプレイデバイスによってモバイルデバイスとのＰ２Ｐ接続を確立する方法のフローチャートを例示する。方法６００は、いくつかの態様では、ディスプレイデバイス１１４ａ−１１４ｃのうちのいずれかによって遂行されうる。いくつかの態様では、方法６００は、ワイヤレスネットワークの１つまたは複数のチャネル上でＰ２Ｐ接続に既に参加しているデバイスによって遂行されうる。
【００５３】
[0061]ブロック６０２において、方法６００は、赤外線電源投入コマンドを受信することを備えうる。赤外線電源投入コマンドは、図２によって参照された赤外線通信２２０および図４によって参照された電源投入コマンドメッセージ４０２に対応しうる。ブロック６０２において受信される赤外線電源投入コマンドは、電源投入するまたはワイヤレス通信能力をアクティブ化するための、ディスプレイデバイス１１４ａへのコマンドを備えうる。いくつかのインプリメンテーションでは、赤外線電源投入コマンドは、上述されたように、追加のコマンドまたは情報を備えうる。いくつかのインプリメンテーションでは、赤外線電源投入コマンドを受信することは、ディスプレイデバイスの特定のチャネルまたはＭＣＳに切り替わることを備えうる。ブロック６０２において赤外線電源投入コマンドを受信し、命令された任意のコマンドを遂行またはその中に包含された任意の情報を復号した後で、方法６００は、ブロック６０４に進みうる。
【００５４】
[0062]ブロック６０４において、ディスプレイデバイス１１４ａによって遂行される方法６００は、赤外線電源投入コマンドのソースに関してネットワークをスキャンすることを備えうる。例えば、赤外線電源投入コマンドのソースは、上述されたように、モバイルデバイス１１２ａでありうる。ブロック６０４のスキャニングは、図４に関連して上述されたスキャンメッセージ４０４および４０６の送信を備えうる。代替として、上述されたように、ディスプレイデバイス１１４ａは、特定のチャネルに切り替わり、Ｐ２Ｐ通信要求メッセージ４０８／４１０を待ちうる。その後、方法６００は、ブロック６０６に進む。
【００５５】
[0063]ブロック６０６において、ディスプレイデバイス１１４ａの方法６００は、ソースであるモバイルデバイス１１２ａからＰ２Ｐ接続要求を受信することを備えうる。上述されたように、ブロック６０６において受信されるＰ２Ｐ要求は、ディスプレイデバイス１１４ａとモバイルデバイス１１２ａとの間で形成されるように要求されるＰ２Ｐ接続に関連付けられた１つまたは複数のパラメータを備えうる。いくつかのインプリメンテーションでは、ブロック６０６は、図４中で説明されたように、Ｐ２Ｐ要求４０８または４１０を受信することを備えうる。いくつかのインプリメンテーションでは、上述されたように、ブロック６０６は、特定のチャネル上でＰ２Ｐ要求を受信することを備えうる。ディスプレイデバイス１１４ａがＰ２Ｐ接続要求を受信した後で、方法６００は、ブロック６０８に進む。
【００５６】
[0064]ブロック６０８において、ディスプレイデバイス１１４ａは、ブロック６０６においてモバイルデバイス１１２ａから受信されたＰ２Ｐ接続要求への応答を生成および送信する。いくつかのインプリメンテーションでは、ブロック６０８において生成および送信されるＰ２Ｐ接続要求への応答は、図４中で参照されたＰ２Ｐ応答４１２／４１４に対応しうる。いくつかのインプリメンテーションでは、ディスプレイデバイス１１４ａは、ブロック６０６において受信されるＰ２Ｐ接続要求への応答を生成しえ、モバイルデバイス１１２ａと接続することに同意する。応答がＰ２Ｐ接続の受け入れであったとき、ディスプレイデバイス１１４ａは、Ｐ２Ｐ接続要求中に示されていることがありうるパラメータに同意しうる。どのパラメータもＰ２Ｐ接続要求中に示されていなかった場合、またはディスプレイデバイス１１４ａが示されたパラメータのうちの１つまたは複数に同意しない場合、ディスプレイデバイス１１４ａは、特定のパラメータ（例えば、接続速度、持続時間、複信／半複信、等）を示唆しうる。示唆されるパラメータは、製造業者またはユーザによって提供されるデフォルト設定に基づきうる。いくつかの他のインプリメンテーションでは、パラメータがＰ２Ｐ要求中で示唆された場合、ディスプレイデバイス１１４ａは、示唆されたパラメータのその受け入れまたは拒否をその応答中に示しうる。ディスプレイデバイス１１４ａが示唆されたパラメータを拒否する場合、ディスプレイデバイス１１４ａは、代用のパラメータを示唆しうるか、またはディスプレイデバイス１１４ａは、モバイルデバイス１１２ａからの新しい示唆されたパラメータを要求しうる。
【００５７】
[0065]代替として、ディスプレイデバイス１１４ａは、Ｐ２Ｐ接続要求を断りうる。いくつかのインプリメンテーションでは、ディスプレイデバイス１１４ａが要求を断ると、ディスプレイデバイス１１４ａは、ブロック６０８のＰ２Ｐ接続応答中でＰ２Ｐ接続要求を断ることについての理由を提供しうる。例えば、ディスプレイデバイス１１４ａは、示唆されたパラメータに起因して、またはディスプレイデバイス１１４ａが別のモバイルデバイス１１２とのＰ２Ｐ接続に既に参加しているという事実に起因して、Ｐ２Ｐ接続を断りうる。Ｐ２Ｐ接続に参加することに同意するまたは同意しない応答を生成した後で、方法６００は、ブロック６１０に進みうる。
【００５８】
[0066]ブロック６１０において、ディスプレイデバイス１１４ａによって遂行される方法は、Ｐ２Ｐ接続を介して受信されたコンテンツを表示することを備えうる。いくつかのインプリメンテーションでは、ディスプレイデバイス１１４ａは、情報およびデータのみをＰ２Ｐ接続を介して受信するであろう。いくつかの他のインプリメンテーションでは、ディスプレイデバイス１１４ａおよびモバイルデバイス１１２ａは、Ｐ２Ｐ接続を介した双方向通信に参加しうる。いくつかの他のインプリメンテーションでは、ディスプレイデバイス１１４ａは、Ｐ２Ｐ接続を介して受信されるコンテンツのためのソースとして働くモバイルデバイス１１２ａによって制御されうる。
【００５９】
[0067]図７は、方法６００を使用してモバイルデバイス１１２ａとのＰ２Ｐ接続を確立するために用いられうる例証的なディスプレイデバイス１１２ａの機能ブロック図である。デバイス７００は、赤外線コマンド受信回路７０５、スキャニング／処理回路７１０、要求受信回路７１５、応答生成回路７２０、およびディスプレイ回路（display circuit）７２５を備える。様々な回路は、図６中に例示されている方法６００に関して上述された機能のうちの１つまたは複数を遂行するように構成されうる。
【００６０】
[0068]赤外線コマンド受信回路７０５は、上記の図６中に例示されている方法６００のブロック６０２に関連して上述された機能のうちの１つまたは複数を遂行するように構成されうる。いくつかの点に関して、赤外線コマンド受信回路７０５は、プロセッサ３０４、トランシーバ３１４、受信機３１２、赤外線トランシーバ３２０、および／または赤外線エミッタまたは受信機３２１に対応しうる。いくつかの態様では、赤外線コマンドを受信するための手段が、赤外線コマンド受信回路７０５を含みうる。
【００６１】
[0069]スキャニング／処理回路７１０は、上記の図６中に例示されている方法６００のブロック６０４に関連して上述された機能のうちの１つまたは複数を遂行するように構成されうる。いくつかの点では、スキャニング／処理回路７１０は、プロセッサ３０４および／またはトランシーバ３１４に対応しうる。いくつかの態様では、スキャニングおよび／または処理するための手段が、スキャニング／処理回路７１０を含みうる。
【００６２】
[0070]要求受信回路７１５は、上記の図６中に例示されている方法６００のブロック６０６に関連して上述された機能のうちの１つまたは複数を遂行するように構成されうる。いくつかの点では、要求受信回路７１５は、プロセッサ３０４、トランシーバ３１４、および／または受信機３１２に対応しうる。いくつかの態様では、Ｐ２Ｐ接続要求を受信するための手段が、要求受信回路７１５を含みうる。
【００６３】
[0071]応答生成回路７２０は、上記の図６中に例示されている方法６００のブロック６０８に関連して上述された機能のうちの１つまたは複数を遂行するように構成されうる。いくつかの点では、応答生成回路７２０は、プロセッサ３０４、トランシーバ３１４および／または送信機３１４に対応しうる。いくつかの態様では、Ｐ２Ｐ接続応答を生成するための手段が、応答生成回路７２０を含みうる。
【００６４】
[0072]ディスプレイ回路７２５は、上記の図６中に例示されている方法６００のブロック６１０に関連して上述された機能のうちの１つまたは複数を遂行するように構成されうる。いくつかの点では、ディスプレイ回路７２５は、プロセッサ３０４、ユーザインターフェース３２２、トランシーバ３１４、受信機３１２、および／またはメモリ３０６に対応しうる。いくつかの態様では、Ｐ２Ｐ接続を介して受信されるコンテンツを表示するための手段と、ディスプレイデバイス上で表示されるべきコンテンツをモバイルデバイス１１２ａと双方向で通信するための手段とが、ディスプレイ回路７２５を含みうる。
【００６５】
[0073]図８は、モバイルデバイス１１２ａによってインプリメントされる、ディスプレイデバイス１１４ａとのワイヤレスＰ２Ｐ接続が作成されうるプロセスのインプリメンテーションのフローチャートを例示する。図８のプロセス８００は、図１−７中で参照されたモバイルデバイス１１２ａによってインプリメントされうる。プロセス８００は、ブロック８０２において始まりえ、それは、モバイルデバイス１１２ａがユーザからのコマンドおよび通信信号、例えば、赤外線通信メッセージまたはプッシュボタンコマンドを生成および／または受信することが可能であるスタンバイモードにされるか、またはアクティブ化されるように、モバイルデバイス１１２ａに電源投入することを伴いうる。
【００６６】
[0074]ブロック８０４において、モバイルデバイス１１２ａは、ディスプレイデバイス１１４とのＰ２Ｐ接続を開始するためのコマンドをユーザから受信する。いくつかのインプリメンテーションでは、モバイルデバイス１１２ａは、その上でユーザがモバイルデバイス１１２ａからのコンテンツを表示することを望むディスプレイデバイス１１４にモバイルデバイス１１２ａが向いているように位置付けられうる。モバイルデバイス１１２ａは、電話上の物理的プッシュボタンまたはセレクタを介して、ソフトボタンを介して（例えば、ソフトウェアベースのタッチスクリーンボタン、または口頭あるいはユーザコマンドを受信する任意の他の方法を介して）ディスプレイデバイスに接続するための命令を受信しうる。接続するための命令を受信した後で、プロセス８００は、ブロック８０６に進む。
【００６７】
[0075]ブロック８０６において、ディスプレイデバイス１１４ａに接続するための、ユーザから受信されたコマンドに応答して、モバイルデバイス１１２ａは、それに向かってモバイルデバイス１１２ａが位置付けられるディスプレイデバイス１１４ａへの（図４によって参照された）赤外線電源投入コマンド４０２を生成および送信しうる。赤外線電源投入コマンドをディスプレイデバイス１１４ａに送信した後で、ブロック８０８において、モバイルデバイス１１２ａは、赤外線電源投入コマンドがディスプレイデバイス１１４ａによって受信されたかどうかを決定する。いくつかのインプリメンテーションでは、モバイルデバイス１１２ａは、特定のチャネル上でディスプレイデバイス１１４ａからの信号を検出することによって、赤外線電源投入コマンドが受信されたと決定しうる。いくつかの他のインプリメンテーションでは、モバイルデバイス１１２ａは、赤外線応答ビーコンを検出することによって、赤外線電源投入コマンドが受信されたと決定しうる。赤外線電源投入コマンドがディスプレイデバイスによって受信されたとモバイルデバイス１１２ａが決定しない場合、プロセスは、ブロック８１０に進み、そこで、モバイルデバイス１１２ａは、ディスプレイデバイス１１４ａに送信するための次の赤外線電源投入コマンドを選択しうる。
【００６８】
[0076]多くのディスプレイデバイス（例えば、テレビ、プロジェクタ、モニタ、等）は、製造業者固有の赤外線電源投入コマンドを有しうる。それ故に、モバイルデバイス１１２ａがディスプレイデバイス１１４ａに送信するための次の赤外線電源投入コマンドを選択するとき、モバイルデバイス１１２ａは、製造業者供給の赤外線電源投入コマンドのリストから選択しうる。リスト中には何百もの赤外線電源投入コマンドがありうるが、赤外線電源投入コマンドを選択することと、それをディスプレイデバイス１１４ａに送信することと、赤外線電源投入コマンドが受信され、ディスプレイデバイス１１４に対して適切に命じたかどうかを確かめるためにチェックすることとを行うためのプロセスは、数ミリ秒しかかからないことがありうる。それ故に、製造業者のリストからの全ての赤外線電源投入コマンドコードを試すためにリストを順に自動で繰り返すこと（automated cycling through the list）は、数秒または数分しかかからないことがありうる。いくつかの実施形態では、モバイルデバイス１１２ａのユーザは、ディスプレイデバイス１１４ａに送るための特定のモデル／製造業者の赤外線電源投入コマンドを選択するオプションが与えられうる。いくつかの実施形態では、製造業者／デバイスリストからの赤外線電源投入コマンドの選択は、ディスプレイデバイスの所与の製造業者またはブランドの人気度に基づきうる。
【００６９】
[0077]いくつかの実施形態では、ブロック８０６および８１０中で赤外線電源投入コードを選択することは、赤外線電源投入コードのデータベースにアクセスすることを備えうる。いくつかの実施形態では、赤外線電源投入コードのデータベースは、モバイルデバイス１１２ａ上に記憶されうる。いくつかの実施形態では、赤外線電源投入コードのデータベースは、モバイルデバイス１１２ａが通信媒体を介してデータベースにアクセスするように構成されうるように、インターネット上に記憶されうるか、またはインターネット接続を介してアクセス可能でありうる。いくつかの実施形態では、データベースは、ピアツーピア通信に参加することが可能なディスプレイデバイスの製造業者またはモデルによって編成されうる。それ故に、ブロック８０６において赤外線電源投入コマンドを生成するとき、モバイルデバイス１１２ａは、ローカルまたはリモートデータベースにアクセスし、ディスプレイデバイス１１４ａがアクティブ化されるまで赤外線電源投入コードを順に繰り返しうる。いくつかの実施形態では、モバイルデバイス１１２ａは、モバイルデバイス１１２ａによって要求されたＰ２Ｐ接続に参加することが可能な全ての製造業者およびモデルに適用されうる標準的な赤外線電源投入コードをデフォルトにしうる。いくつかの実施形態では、モバイルデバイス１１２ａは、電源投入するようにディスプレイデバイスに命じることを試みるにあたり、データベース中の赤外線コードの全てを順に繰り返しうる。
【００７０】
[0078]赤外線電源投入コマンドがディスプレイデバイス１１４ａによって受信されたとモバイルデバイス１１２ａが決定した場合、プロセス８００は、ブロック８１２に移動し、そこで、モバイルデバイス１１２ａは、特定のチャネルまたはＭＣＳにおいて、ワイヤレスネットワーク上でディスプレイデバイス１１４ａを探索する。モバイルデバイス１１２ａがワイヤレスネットワーク上でディスプレイデバイス１１４を見出さない場合、プロセス８００は、ディスプレイデバイス１１４ａがワイヤレスネットワーク上で発見されるまでブロック８０８および８１２を繰り返す。
【００７１】
[0079]いくつかの実施形態では、１つよりも多くのモバイルデバイス１１２ａが、同時に１つまたは複数のディスプレイデバイス１１４に接続することを試みうる。例えば、モバイルデバイス１１２ａは、ディスプレイデバイス１１４ｃに接続することを試みえ、その一方でモバイルデバイス１１２ｂは、同時点において（at the same moment in time）ディスプレイデバイス１１４ｂに接続することを試みうる。２つのディスプレイデバイス１１４ｂおよび１１４ｃが同時にオンになった場合、ディスプレイデバイス１１４ｂおよび１１４ｃの両方は、同時にモバイルデバイス１１２によって「見出される」ようにネットワーク上で待っていることがありうる。しかしながら、２つのモバイルデバイス１１２ａおよび１１２ｂは、ディスプレイデバイス１１４ｂおよび１１４ｃの識別子を知らない（unaware of）ことから、モバイルデバイス１１２ａおよび１１２ｂは両方とも、同じディスプレイデバイス１１４、例えば、ディスプレイデバイス１１４ｂとの通信を確立することを試みうる。２つのモバイルデバイス１１２ａおよび１１２ｂの両方が同時にディスプレイデバイス１１４ｂとの通信を確立することを試みる場合、２つのモバイルデバイス１１２ａおよび１１２ｂは、ディスプレイデバイス１１４ｂに達することから互いの通信をブロックし、方法を改めて始めるためにブロック８０２または８０４に戻りうる。いくつかの実施形態では、フィードバック（または何らかのタイプの応答）が、ディスプレイデバイス１１４からモバイルデバイス１１２によって受信されうる（この図中には図示せず）。受信されたフィードバックは、モバイルデバイス１１２が、どの特定のディスプレイデバイス１１４とそれらが接続することを意図するかを決定することを可能にするように、ディスプレイデバイス１１４が通信を確立することを待っているときに識別情報を提供しうる。
【００７２】
[0080]ディスプレイデバイス１１４ａがモバイルデバイス１１２ａによって発見されると、ブロック８１４において、モバイルデバイス１１２ａは、ディスプレイデバイス１１４ａとのワイヤレスＰ２Ｐ接続のためのパラメータを確立し、ディスプレイデバイス１１４ａ上で表示するためのコンテンツを通信することを始める。接続が確立され、コンテンツが表示されると、プロセス８００は、ブロック８１６において終了する。
【００７３】
[0081]図９は、ディスプレイによってインプリメントされる、モバイルデバイスとのワイヤレスＰ２Ｐ接続を確立するためのプロセスのインプリメンテーションのフローチャートを例示する。図９のプロセス９００は、図１−８中で参照されたディスプレイデバイス１１４ａによってインプリメントされうる。プロセス９００は、ブロック９０２において始まりえ、それは、ディスプレイデバイス１１４ａがコマンドおよび通信信号、例えば、赤外線通信メッセージ受信することが可能であるスタンバイモードにされるか、またはアクティブ化されるように、ディスプレイデバイス１１４ａに電源投入することを伴いうる。
【００７４】
[0082]ブロック９０４において、ディスプレイデバイス１１４ａは、図４中で参照された電源投入コマンド４０２のような赤外線電源投入コマンドを受信する。電源投入コマンドが受信されると、プロセス９００は、ブロック９０６に進み、そこで、赤外線電源投入コマンドがモバイルデバイス１１２ａのようなモバイルデバイスから来たかどうかが決定される。いくつかのインプリメンテーションでは、これは、受信された電源投入コマンド中の情報およびフィールドによって決定されうる。赤外線電源投入コマンドがモバイルデバイス１１２ａから来ていなかった場合（例えば、コマンドがリモートから受信された、等）、プロセスは、別の赤外線電源投入コマンドを待つために、ブロック９０２に戻る。赤外線電源投入コマンドがモバイルデバイス１１２ａから来た場合、プロセス９００は、ブロック９０８に進む。ブロック９０８において、ディスプレイデバイス１１４ａは、受信された赤外線コードに基づいてワイヤレスネットワークパラメータを設定する。例えば、いくつかのインプリメンテーションでは、特定の赤外線コードの受信は、ディスプレイデバイス１１４ａに、特定のワイヤレスネットワークパラメータを使用させうる。いくつかのインプリメンテーションでは、ネットワークパラメータは、特定のチャネルおよびＭＣＳを備えうる。赤外線電源投入コマンドに基づいてネットワークパラメータを設定した後で、プロセス９００は、ブロック９１０に進む。ブロック９１０において、ディスプレイデバイス１１４ａは、ネットワークパラメータに基づいてワイヤレスネットワークをスキャンする。代替として、ディスプレイデバイス１１４ａは、モバイルデバイス１１２ａによって受信または検出されうるＰ２Ｐ信号をワイヤレスネットワークの指定されたチャネル上でブロードキャストしうる。ワイヤレスネットワークをスキャンした後で、プロセス９００は、ブロック９１２に進み、そこで、ディスプレイデバイス１１４ａは、タイムアウトタイマ（timeout timer）が完了する前に通信要求がネットワーク上で受信されたかどうかを決定する。受信されなかった場合、プロセス９００は、ステップ９０２に戻り、タイムアウトタイマが完了する前に通信要求がネットワーク上で受信されるまで、残りのステップを繰り返す。タイムアウトタイマが完了する前に通信要求が受信されると、プロセス９００は、ブロック９１４に進み、そこで、ディスプレイデバイス１１４ａは、モバイルデバイス１１２ａから受信されたＰ２Ｐ通信要求を受け入れるまたは拒否することを決定する。上述されたように、Ｐ２Ｐ通信要求が受け入れられる場合、ディスプレイデバイス１１４ａは、接続のために提案された特定のパラメータを受け入れるまたは拒否することができ、且つそれ自体のパラメータを提案しうる。Ｐ２Ｐ通信要求が受け入れられるまたは拒否されると、プロセス９００は、プロセス９１６において終了する。
【００７５】
[0083]本明細書で使用される場合、「決定すること」という用語は、多種多様なアクションを包含する。例えば、「決定すること」は、算出すること、計算すること、処理すること、導出すること、調査すること、ルックアップすること（例えば、表、データベースまたは別のデータ構造中をルックアップすること）、確定すること、等を含みうる。また、「決定すること」は、受信すること（例えば、情報を受信すること）、アクセスすること（例えば、メモリ中のデータにアクセスすること）、等を含みうる。また、「決定すること」は、解決すること、選択すること、選ぶこと、確立すること、等を含みうる。さらに、本明細書で使用される「チャネル幅」は、ある特定の態様中で、帯域幅を包含しうるか、または帯域幅とも呼ばれうる。
【００７６】
[0084]本明細書で使用される場合、項目のリスト「のうちの少なくとも１つ」を指すフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００７７】
[0085]上述された方法の様々な動作は、様々なハードウェアおよび／またはソフトウェアコンポーネント（１つ以上）、回路、および／またはモジュール（１つ以上）のような、それら動作を遂行することが可能な任意の適した手段によって遂行されうる。概して、図面中に例示された任意の動作は、それら動作を遂行することが可能である対応する機能的な手段によって遂行されうる。
【００７８】
[0086]本明細書で使用される場合、インターフェースという用語は、２つ以上のデバイスをともに接続するように構成されたハードウェアまたはソフトウェアを指しうる。例えば、インターフェースは、プロセッサまたはバスの一部であり、デバイス間での情報またはデータの通信を可能にするように構成されうる。インターフェースは、チップまたは他のデバイスに統合されうる。例えば、いくつかの実施形態では、インターフェースは、別のデバイスにおいて、あるデバイスからの情報または通信を受信するように構成された受信機を備えうる。（例えば、プロセッサまたはバスの）インターフェースは、フロントエンドまたは別のデバイスによって処理された情報またはデータを受信しうるか、または受信された情報を処理しうる。いくつかの実施形態では、インターフェースは、情報またはデータを別のデバイスに送信または通信するように構成された送信機を備えうる。このことから、インターフェースは、情報またはデータを送信しうるか、あるいは（例えば、バスを介して）送信用に出力するための情報またはデータを準備しうる。
【００７９】
[0087]本開示に関連して説明された様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブルロジックデバイス（ＰＬＤ）、離散ゲートまたはトランジスタロジック、離散ハードウェアコンポーネントあるいは本明細書に説明された機能を遂行するように設計されたそれらの任意の組み合わせを用いてインプリメントまたは遂行されうる。汎用プロセッサは、マイクロプロセッサでありうるが、代替では、プロセッサは、任意の市販のプロセッサ、コントローラ、マイクロコントローラまたはステートマシンでありうる。プロセッサはまた、コンピューティングデバイスの組み合わせ、例えば、ＤＳＰとマイクロプロセッサとの組み合わせ、複数のマイクロプロセッサ、ＤＳＰコアと連携した１つまたは複数のマイクロプロセッサ、あるいは任意の他のそのような構成としてインプリメントされうる。
【００８０】
[0088]１つまたは複数の態様では、説明された機能は、ハードウェア、ソフトウェア、ファームウェア、またはそれらの任意の組み合わせ中でインプリメントされうる。ソフトウェア中でインプリメントされる場合、機能は、コンピュータ可読媒体上の１つまたは複数の命令またはコードとして記憶あるいは送信されうる。コンピュータ可読媒体は、ある場所から別の場所へのコンピュータプログラムの転送を容易にする任意の媒体を含む通信媒体とコンピュータ記憶媒体との両方を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいはデータ構造もしくは命令の形式で所望のプログラムコードを記憶または搬送するために使用されることができ、コンピュータによってアクセスされることができる任意の他の媒体を備えることができる。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、本明細書で使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は通常、磁気的にデータを再生するが、その一方でディスク（disc）は、レーザーを用いて光学的にデータを再生する。このことから、いくつかの態様では、コンピュータ可読媒体は、非一時的コンピュータ可読媒体（例えば、有形媒体）を備えうる。加えて、いくつかの態様では、コンピュータ可読媒体は、一時的コンピュータ可読媒体（例えば、信号）を備えうる。上記の組み合わせもまた、コンピュータ可読媒体の範囲内に含まれるべきである。
【００８１】
[0089]本明細書で開示された方法は、説明された方法を達成するための１つまたは複数のステップまたはアクションを備える。方法のステップおよび／またはアクションは、特許請求の範囲から逸脱することなしに互いに置き換えられうる。言い換えれば、ステップまたはアクションの特定の順序が指定されない限り、特定のステップおよび／またはアクションの順序および／または使用は、特許請求の範囲から逸脱することなしに修正されうる。
【００８２】
[0090]説明された機能は、ハードウェア、ソフトウェア、ファームウェア、またはそれらの任意の組み合わせ中でインプリメントされうる。ソフトウェア中でインプリメントされる場合、機能は、コンピュータ可読媒体上の１つまたは複数の命令として記憶されうる。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいはデータ構造もしくは命令の形式で所望のプログラムコードを記憶または搬送するために使用されることができ、コンピュータによってアクセスされることができる任意の他の媒体を備えることができる。ディスク（disk）およびディスク（disc）は、本明細書で使用される場合、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−ｒａｙ（登録商標）ディスク（disc）を含み、ここで、ディスク（disk）は通常、磁気的にデータを再生するが、その一方でディスク（disc）は、レーザーを用いて光学的にデータを再生する。
【００８３】
[0091]このことから、ある特定の態様は、本明細書に提示された動作を遂行するためのコンピュータプログラム製品を備えうる。例えば、そのようなコンピュータプログラム製品は、命令を記憶（および／または符号化）したコンピュータ可読媒体を備えうるものであり、命令は、本明細書に説明された動作を遂行するように１つまたは複数のプロセッサによって実行可能である。ある特定の態様の場合、コンピュータプログラム製品は、パッケージ材料を含みうる。
【００８４】
[0092]ソフトウェアあるいは命令はまた、送信媒体を通して送信されうる。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、マイクロ波のようなワイヤレス技術は、送信媒体の定義中に含まれる。
【００８５】
[0093]さらに、本明細書に説明された方法および技法を遂行するためのモジュールおよび／または他の適切な手段は、適宜、ユーザ端末および／または基地局によってダウンロードされることができる、および／または、そうでない場合は取得されることができることが認識されるべきである。例えば、そのようなデバイスは、本明細書に説明された方法を遂行するための手段の転送を容易にするために、サーバに結合されることができる。代替として、本明細書に説明された様々な方法は、記憶手段をデバイスに結合または提供する際にユーザ端末および／または基地局が様々な方法を取得することができるように、記憶手段（例えば、ＲＡＭ、ＲＯＭ、コンパクトディスク（ＣＤ）またはフロッピーディスクのような物理的記憶媒体、等）を介して提供されることができる。その上、本明細書に説明された方法および技法をデバイスに提供するための任意の他の適した技法が利用されることができる。
【００８６】
[0094]特許請求の範囲は、上記に例示されたまさにその構成およびコンポーネントに限定されないことが理解されるべきである。様々な修正、変更、および変形が、特許請求の範囲から逸脱することなしに、上述された方法および装置の配置、動作および詳細中でなされうる。
【００８７】
[0095]前述の内容が本開示の態様を対象としている一方、本開示の他のおよびさらなる態様は、その基本的な範囲から逸脱することなしに考案されえ、その範囲は、後続する特許請求の範囲によって決定される。
【図１】
2017538362.tif 000003
【図２】
2017538362.tif 000004
【図３】
2017538362.tif 000005
【図４】
2017538362.tif 000006
【図５】
2017538362.tif 000007
【図６】
2017538362.tif 000008
【図７】
2017538362.tif 000009
【図８】
2017538362.tif 000010
【図９】
2017538362.tif 000011
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク上でピアツーピア通信を確立するための装置であって、
ピアツーピア通信を開始するためのコマンドを受信することと、
デバイスへの送信のために赤外線信号を生成することと、前記赤外線信号は、前記デバイスをアクティブ化し、前記デバイスのデフォルト設定および前記赤外線信号のうちの１つに基づく第１の好ましいチャネルに前記デバイスのワイヤレスネットワーク接続を設定するためのコマンドを備える、
前記第１の好ましいチャネルを通して前記ワイヤレス通信ネットワーク上で前記デバイスを見出すことと
を行うように構成された処理システムと、
前記赤外線信号を前記デバイスに送信するように構成された赤外線送信機と、
前記ワイヤレス通信ネットワーク上でワイヤレス通信に参加するように構成されたアンテナと、ここにおいて、前記ワイヤレス通信ネットワーク上での前記デバイスとのピアツーピア接続は、前記赤外線信号中の前記コマンドに基づいて確立される、
を備える、装置。
【請求項２】
前記処理システムは、前記デバイスから、前記ピアツーピア接続を形成することを求める要求に対する応答を受信するようにさらに構成され、前記要求に対する前記応答は、前記デバイスが前記ピアツーピア接続を形成することに同意する、または前記ピアツーピア接続を形成することに同意しないというインジケーションを備える、請求項１に記載の装置。
【請求項３】
前記処理システムは、
前記第１の好ましいチャネル上で前記デバイスをリッスンすることと、
前記第１の好ましいチャネル上で前記デバイスを検出することと、
第１の時間が経過する前に、前記第１の好ましいチャネル上での前記デバイスの検出に基づいて、前記第１の好ましいチャネルに前記ワイヤレスネットワーク接続を設定およびオンにするための前記コマンドが前記デバイスによって受信されたと決定することと
を行うようにさらに構成される、請求項１に記載の装置。
【請求項４】
前記処理システムは、
前記第１の好ましいチャネル上で前記デバイスをリッスンすることと、
第１の時間が経過する前に、前記第１の好ましいチャネル上で前記デバイスを検出しないことに基づいて、前記第１の好ましいチャネルに前記ワイヤレスネットワーク接続を設定およびオンにするための前記コマンドが前記デバイスによって受信されなかったと決定することと、
前記デバイスへの送信のために別の赤外線信号を生成することと、前記別の赤外線信号は、第２の好ましいチャネルにワイヤレス接続を設定およびオンにするための別のコマンドに基づく、
を行うようにさらに構成され、
前記赤外線送信機は、前記別の赤外線信号を前記デバイスに送信するようにさらに構成される、
請求項１に記載の装置。
【請求項５】
前記処理システムは、前記デバイスとのピアツーピア接続を形成することを求める要求を生成するようにさらに構成され、前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項１に記載の装置。
【請求項６】
前記処理システムは、前記デバイスから、前記ピアツーピア接続を形成することを求める前記要求に対する応答を受信するようにさらに構成され、前記デバイスからの前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、請求項５に記載の装置。
【請求項７】
前記処理システムは、赤外線電源投入コードのデータベースにアクセスするようにさらに構成され、赤外線電源投入コードの前記データベースは、赤外線信号を受信し、ワイヤレスピアツーピア通信に参加することが可能なディスプレイデバイスの様々な製造業者およびモデルからの赤外線電源投入コードを備える、請求項１に記載の装置。
【請求項８】
赤外線通信を生成するように構成された前記処理システムは、赤外線電源投入コードの前記データベースからの選択された赤外線電源投入コードに基づいて前記赤外線通信を生成するように構成される、請求項７に記載の装置。
【請求項９】
ワイヤレス通信ネットワーク上でピアツーピア通信を確立するための方法であって、
第１のデバイスが、ピアツーピア通信を開始するためのコマンドを受信することと、
第２のデバイスへの送信のために赤外線通信を生成することと、前記赤外線通信は、前記第２のデバイスをアクティブ化し、前記第２のデバイスのデフォルト設定および前記赤外線通信のうちの１つに基づく第１の好ましいチャネルに前記第２のデバイスのワイヤレスネットワーク接続を設定するためのコマンドを備える、
前記赤外線通信を前記第２のデバイスに送信することと、
前記ワイヤレス通信ネットワーク上でピアツーピア接続を介して前記第２のデバイスに接続することと、ここにおいて、前記ワイヤレス通信ネットワーク上での前記第２のデバイスとの前記ピアツーピア接続は、前記赤外線通信中の前記コマンドに基づいて確立される、
を備える、方法。
【請求項１０】
前記第２のデバイスから、前記ピアツーピア接続を形成することを求める要求に対する応答を受信することをさらに備え、前記要求に対する前記応答は、前記第２のデバイスが前記ピアツーピア接続を形成することに同意する、または前記ピアツーピア接続を形成することに同意しないというインジケーションを備える、請求項９に記載の方法。
【請求項１１】
前記第１の好ましいチャネル上で前記第２のデバイスをリッスンすることと、
前記好ましいチャネル上で前記第２のデバイスを検出することと、
第１の時間が経過する前に、前記第１の好ましいチャネル上での前記第２のデバイスの検出に基づいて、前記第１の好ましいチャネルに前記ワイヤレスネットワーク接続を設定およびオンにするための前記コマンドが前記第２のデバイスによって受信されたと決定することと
をさらに備える、請求項１０に記載の方法。
【請求項１２】
前記第１の好ましいチャネル上で前記第２のデバイスをリッスンすることと、
第１の時間が経過する前に、前記第１の好ましいチャネル上で前記第２のデバイスを検出しないことに基づいて、前記第１の好ましいチャネルに前記ワイヤレスネットワーク接続を設定およびオンにするための前記コマンドが前記第２のデバイスによって受信されなかったと決定することと、
前記第２のデバイスへの送信のために別の赤外線信号を生成することと、前記別の赤外線信号は、第２の好ましいチャネルにワイヤレス接続を設定およびオンにするための別のコマンドに基づく、
前記別の赤外線信号を前記第２のデバイスに送信することと
をさらに備える、請求項１０に記載の方法。
【請求項１３】
前記第２のデバイスとのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項９に記載の方法。
【請求項１４】
前記第２のデバイスとの前記ピアツーピア接続を形成することを求める要求を生成することと、
前記ピアツーピア接続を形成することを求める前記要求を前記ワイヤレス通信ネットワークを介して前記第２のデバイスに送信することと、
前記第２のデバイスから、前記ピアツーピア接続を形成することを求める前記要求に対する応答を受信することと、ここにおいて前記第２のデバイスからの前記応答は、前記第２のデバイスとの前記ピアツーピア接続を形成することを求める前記要求のものとは、異なる示唆されたメディアタイプ、異なる示唆されたチャネル、前記ピアツーピア接続のための異なる示唆された速度、および前記ピアツーピア接続のための異なる示唆された持続時間のうちの少なくとも１つを備える、
をさらに備える、請求項１３に記載の方法。
【請求項１５】
赤外線電源投入コードのデータベースにアクセスすることをさらに備え、赤外線電源投入コードの前記データベースは、赤外線信号を受信し、ワイヤレスピアツーピア通信に参加することが可能なディスプレイデバイスの様々な製造業者およびモデルからの赤外線電源投入コードを備える、請求項９に記載の方法。
【請求項１６】
前記赤外線通信を生成することは、赤外線電源投入コードの前記データベースからの選択された赤外線電源投入コードを含む前記赤外線通信を生成することを備える、請求項１５に記載の方法。
【請求項１７】
ワイヤレス通信ネットワーク上でピアツーピア通信を確立するための装置であって、
第２の装置から赤外線信号を受信するように構成された赤外線受信機と、前記赤外線信号は、デフォルト設定および前記赤外線信号のうちの１つに基づく第１の好ましいチャネルにワイヤレスネットワーク接続を設定およびアクティブするためのコマンドを備える、
前記ワイヤレス通信ネットワーク上で通信するように構成されたアンテナと、
前記装置がスタンバイまたは低電力モードである場合に前記装置に電源投入することと、
前記コマンドに基づいて前記ワイヤレス通信ネットワークのためのネットワークパラメータを前記第１の好ましいチャネルに設定することと
を行うように構成された処理システムと
を備える、装置。
【請求項１８】
前記処理システムは、前記ワイヤレス通信ネットワーク上で前記第２の装置とのピアツーピア接続を形成するようにさらに構成される、請求項１７に記載の装置。
【請求項１９】
前記処理システムは、前記ピアツーピア接続を形成する前に、前記第２の装置から識別情報を受信し、前記ワイヤレス通信ネットワーク上で前記第２の装置を識別するようにさらに構成される、請求項１８に記載の装置。
【請求項２０】
前記処理システムは、前記第２の装置から、ピアツーピア接続を形成することを求める要求を、接続タイムアウトタイマが満了する前に受信するようにさらに構成され、前記接続タイムアウトタイマは、前記装置が前記赤外線信号を送った前記第２の装置からのピアツーピア要求を待つ持続時間を備える、請求項１７に記載の装置。
【請求項２１】
前記処理システムは、前記第２の装置からのピアツーピア接続を形成することを求める要求を受信するようにさらに構成され、前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項１７に記載の装置。
【請求項２２】
前記処理システムは、前記第２のデバイスからの前記ピアツーピア接続を形成することを求める前記要求に対する応答を生成するようにさらに構成され、前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、請求項１８に記載の装置。
【請求項２３】
ワイヤレス通信ネットワーク上でピアツーピア通信を確立するための方法であって、
第２の装置から赤外線信号を受信することと、前記赤外線信号は、電源投入信号および通信信号を備え、前記赤外線信号は、デフォルト設定および前記赤外線信号のうちの１つに基づく第１の好ましいチャネルにワイヤレスネットワーク接続を設定およびアクティブ化するためのコマンドを備える、
アクティブ化するための前記コマンドに基づいて、前記装置がスタンバイまたは低電力モードである場合に前記装置に電源投入することと、
前記コマンドに基づいて前記ワイヤレス通信ネットワークのためのネットワークパラメータを前記第１の好ましいチャネルに設定することと
を備える、方法。
【請求項２４】
前記ワイヤレス通信ネットワーク上で前記第２の装置とのピアツーピア接続を形成することをさらに備える、請求項２３に記載の方法。
【請求項２５】
前記ピアツーピア接続を形成する前に、前記第２の装置から識別情報を受信し、前記ワイヤレス通信ネットワーク上で前記第２の装置を識別することをさらに備える、請求項２４に記載の方法。
【請求項２６】
前記第２の装置から、ピアツーピア接続を形成することを求める要求を、接続タイムアウトタイマが満了する前に受信することをさらに備え、前記接続タイムアウトタイマは、前記装置が前記赤外線信号を送る前記第２の装置からのピアツーピア要求を待つ持続時間を備える、請求項２３に記載の方法。
【請求項２７】
前記第２の装置からのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項２６に記載の方法。
【請求項２８】
前記ピアツーピア接続要求を受け入れるまたは拒否する、前記第２の装置への応答を生成することをさらに備え、前記第２のデバイスからの前記ピアツーピア接続を形成することを求める前記要求に対する前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、請求項２７に記載の方法。
【手続補正２】
【補正対象書類名】明細書
【補正対象項目名】００８７
【補正方法】変更
【補正の内容】
【００８７】
[0095]前述の内容が本開示の態様を対象としている一方、本開示の他のおよびさらなる態様は、その基本的な範囲から逸脱することなしに考案されえ、その範囲は、後続する特許請求の範囲によって決定される。
以下に本願の出願当初の特許請求の範囲に記載された発明を付記する。
［Ｃ１］
ピアツーピア通信を確立するための装置であって、
ピアツーピア通信を開始するためのコマンドを受信することと、
第２のデバイスへの送信のために赤外線信号を生成することと、
ワイヤレス通信ネットワーク上で前記第２のデバイスを見出すことと、
前記ワイヤレス通信ネットワークを介した前記第２のデバイスへの送信のために、前記第２のデバイスとのピアツーピア接続を形成することを求める要求を生成することと、
前記ワイヤレス通信ネットワーク上で前記ピアツーピア接続を介して前記第２のデバイスに接続することと
を行うように構成された処理システムと、
前記赤外線信号を前記第２のデバイスに送信するように構成された赤外線送信機と、
前記ワイヤレス通信ネットワーク上でワイヤレス通信に参加するように構成されたアンテナと
を備える、装置。
［Ｃ２］
前記処理システムは、前記第２のデバイスから前記ピアツーピア接続を形成することを求める前記要求に対する応答を受信するようにさらに構成され、前記要求に対する前記応答は、前記第２のデバイスが前記ピアツーピア接続を形成することに同意する、または前記ピアツーピア接続を形成することに同意しないというインジケーションを備える、Ｃ１に記載の装置。
［Ｃ３］
前記第２のデバイスへの送信のために生成された前記赤外線信号は、第１の好ましいチャネルにワイヤレスネットワーク接続を設定およびオンにするためのコマンドを備え、前記第１の好ましいチャネルは、前記第２のデバイスのデフォルト設定および前記赤外線通信のうちの１つに基づく、Ｃ１に記載の装置。
［Ｃ４］
前記処理システムは、
前記第１の好ましいチャネル上で前記第２のデバイスをリッスンすることと、
前記第１の好ましいチャネル上で前記第２のデバイスを検出することと、
第１の時間が経過する前に、前記第１の好ましいチャネル上での前記第２のデバイスの検出に基づいて、前記第１の好ましいチャネルに前記ワイヤレスネットワーク接続を設定およびオンにするための前記コマンドが前記第２のデバイスによって受信されたと決定することと
を行うようにさらに構成される、Ｃ３に記載の装置。
［Ｃ５］
前記処理システムは、
前記第１の好ましいチャネル上で前記第２のデバイスをリッスンすることと、
第１の時間が経過する前に、前記第１の好ましいチャネル上で前記第２のデバイスを検出しないことに基づいて、前記第１の好ましいチャネルに前記ワイヤレスネットワーク接続を設定およびオンにするための前記コマンドが前記第２のデバイスによって受信されなかったと決定することと、
前記第２のデバイスへの送信のために別の赤外線信号を生成することと、前記別の赤外線信号は、第２の好ましいチャネルにワイヤレス接続を設定およびオンにするための別のコマンドに基づく、
を行うようにさらに構成され、
前記赤外線送信機は、前記別の赤外線信号を前記第２のデバイスに送信するようにさらに構成される、
Ｃ３に記載の装置。
［Ｃ６］
前記第２のデバイスとのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、Ｃ１に記載の装置。
［Ｃ７］
前記処理システムは、前記第２のデバイスから前記ピアツーピア接続を形成することを求める前記要求に対する応答を受信するようにさらに構成され、前記第２のデバイスからの前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、Ｃ６に記載の装置。
［Ｃ８］
前記処理システムは、赤外線電源投入コードのデータベースにアクセスするようにさらに構成され、赤外線電源投入コードの前記データベースは、赤外線信号を受信し、ワイヤレスピアツーピア通信に参加することが可能なディスプレイデバイスの様々な製造業者およびモデルからの赤外線電源投入コードを備える、Ｃ１に記載の装置。
［Ｃ９］
赤外線通信を生成するように構成された前記処理システムは、赤外線電源投入コードの前記データベースからの選択された赤外線電源投入コードに基づいて前記赤外線通信を生成するように構成される、Ｃ８に記載の装置。
［Ｃ１０］
ピアツーピア通信を確立するための方法であって、
第１のデバイスが、ピアツーピア通信を開始するためのコマンドを受信することと、
第２のデバイスへの送信のために赤外線通信を生成することと、
前記赤外線通信を前記第２のデバイスに送信することと、
ワイヤレス通信ネットワーク上で前記第２のデバイスを見出すことと、
前記第２のデバイスとのピアツーピア接続を形成することを求める要求を生成することと、
前記ピアツーピア接続を形成することを求める前記要求を前記ワイヤレス通信ネットワークを介して前記第２のデバイスに送信することと、
前記ワイヤレス通信ネットワーク上で前記ピアツーピア接続を介して前記第２のデバイスに接続することと
を備える、方法。
［Ｃ１１］
前記第２のデバイスから前記ピアツーピア接続を形成することを求める前記要求に対する応答を受信することをさらに備え、前記要求に対する前記応答は、前記第２のデバイスが前記ピアツーピア接続を形成することに同意する、または前記ピアツーピア接続を形成することに同意しないというインジケーションを備える、Ｃ１０に記載の方法。
［Ｃ１２］
前記第２のデバイスに送信された前記赤外線通信は、第１の好ましいチャネルにワイヤレスネットワーク接続を設定およびオンにするためのコマンドを備え、前記第１の好ましいチャネルは、前記第２のデバイスのデフォルト設定および前記赤外線通信のうちの１つに基づく、Ｃ１０に記載の方法。
［Ｃ１３］
前記第１の好ましいチャネル上で前記第２のデバイスをリッスンすることと、
前記好ましいチャネル上で前記第２のデバイスを検出することと、
第１の時間が経過する前に、前記第１の好ましいチャネル上での前記第２のデバイスの検出に基づいて、前記第１の好ましいチャネルに前記ワイヤレスネットワーク接続を設定およびオンにするための前記コマンドが前記第２のデバイスによって受信されたと決定することと
をさらに備える、Ｃ１２に記載の方法。
［Ｃ１４］
前記第１の好ましいチャネル上で前記第２のデバイスをリッスンすることと、
第１の時間が経過する前に、前記第１の好ましいチャネル上で前記第２のデバイスを検出しないことに基づいて、前記第１の好ましいチャネルに前記ワイヤレスネットワーク接続を設定およびオンにするための前記コマンドが前記第２のデバイスによって受信されなかったと決定することと、
前記第２のデバイスへの送信のために別の赤外線信号を生成することと、前記別の赤外線信号は、第２の好ましいチャネルにワイヤレス接続を設定およびオンにするための別のコマンドに基づく、
前記別の赤外線信号を前記第２のデバイスに送信することと
をさらに備える、Ｃ１２に記載の方法。
［Ｃ１５］
前記第２のデバイスとのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、Ｃ１０に記載の方法。
［Ｃ１６］
前記第２のデバイスから前記ピアツーピア接続を形成することを求める前記要求に対する応答を受信することをさらに備え、前記第２のデバイスからの前記応答は、前記第２のデバイスとの前記ピアツーピア接続を形成することを求める前記要求のものとは、異なる示唆されたメディアタイプ、異なる示唆されたチャネル、前記ピアツーピア接続のための異なる示唆された速度、および前記ピアツーピア接続のための異なる示唆された持続時間のうちの少なくとも１つを備える、Ｃ１５に記載の方法。
［Ｃ１７］
赤外線電源投入コードのデータベースにアクセスすることをさらに備え、赤外線電源投入コードの前記データベースは、赤外線信号を受信し、ワイヤレスピアツーピア通信に参加することが可能なディスプレイデバイスの様々な製造業者およびモデルからの赤外線電源投入コードを備える、Ｃ１０に記載の方法。
［Ｃ１８］
前記赤外線通信を生成することは、赤外線電源投入コードの前記データベースからの選択された赤外線電源投入コードを含む前記赤外線通信を生成することを備える、Ｃ１７に記載の方法。
［Ｃ１９］
ピアツーピア通信を確立するための装置であって、
第２の装置から赤外線信号を受信するように構成された赤外線受信機と、
ワイヤレス通信ネットワーク上で通信するように構成されたアンテナと、
電源投入信号および通信信号を備える赤外線信号を受信することと、
前記装置がスタンバイまたは低電力モードである場合に前記装置に電源投入することと、
前記通信信号に基づいて前記ワイヤレス通信ネットワークのためのネットワークパラメータを設定することと、
第２の装置からピアツーピア接続を形成することを求める要求を受信することと、
前記ピアツーピア接続要求を受け入れるまたは拒否する、前記第２の装置への応答を生成することと、
前記応答を前記第２の装置に送信することと
を行うように構成された処理システムと
を備える、装置。
［Ｃ２０］
前記処理システムは、前記ワイヤレス通信ネットワーク上で前記第２の装置とのピアツーピア接続を形成するようにさらに構成される、Ｃ１９に記載の装置。
［Ｃ２１］
前記処理システムは、前記ピアツーピア接続を形成する前に、前記第２の装置から識別情報を受信し、前記ワイヤレス通信ネットワーク上で前記第２の装置を識別するようにさらに構成される、Ｃ２０に記載の装置。
［Ｃ２２］
前記第２の装置からのピアツーピア接続を形成することを求める前記要求は、接続タイムアウトタイマが満了する前に受信され、前記接続タイムアウトタイマは、前記装置が前記赤外線信号を送る前記第２の装置からのピアツーピア要求を待つ持続時間を備える、Ｃ１９に記載の装置。
［Ｃ２３］
前記第２の装置からのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、Ｃ１９に記載の装置。
［Ｃ２４］
前記第２のデバイスからの前記ピアツーピア接続を形成することを求める前記要求に対する前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、Ｃ１９に記載の装置。
［Ｃ２５］
ピアツーピア通信を確立するための方法であって、
第２の装置から赤外線信号を受信することと、前記赤外線信号は、電源投入信号および通信信号を備える、
前記装置がスタンバイまたは低電力モードである場合に前記装置に電源投入することと、
前記受信された通信信号に基づいて前記ワイヤレス通信ネットワークのためのネットワークパラメータを設定することと、
第２の装置からピアツーピア接続を形成することを求める要求を受信することと、
前記ピアツーピア接続要求を受け入れるまたは拒否する、前記第２の装置への応答を生成することと、
前記応答を前記第２の装置に送信することと
を備える、方法。
［Ｃ２６］
前記ワイヤレス通信ネットワーク上で前記第２の装置とのピアツーピア接続を形成することをさらに備える、Ｃ２６に記載の方法。
［Ｃ２７］
前記ピアツーピア接続を形成する前に、前記第２の装置から識別情報を受信し、前記ワイヤレス通信ネットワーク上で前記第２の装置を識別することをさらに備える、Ｃ２５に記載の方法。
［Ｃ２８］
前記第２の装置からのピアツーピア接続を形成することを求める前記要求は、接続タイムアウトタイマが満了する前に受信され、前記接続タイムアウトタイマは、前記装置が前記赤外線信号を送る前記第２の装置からのピアツーピア要求を待つ持続時間を備える、Ｃ２５に記載の方法。
［Ｃ２９］
前記第２の装置からのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、Ｃ２６に記載の方法。
［Ｃ３０］
前記第２のデバイスからの前記ピアツーピア接続を形成することを求める前記要求に対する前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、Ｃ２６に記載の方法。
【国際調査報告】
2017538362.tif 000012
2017538362.tif 000013